(57)【特許請求の範囲】
【請求項１】
緊急事態が発生した旨を示す緊急情報を通知する移動体通信端末装置と、前記緊急情報を取得する緊急情報取得装置と、接続し、前記移動体通信端末装置から通知される前記緊急情報を受け付け、該受け付けた緊急情報を前記緊急情報取得装置に送信する緊急情報受付装置であって、
前記移動体通信端末装置を識別するための端末装置識別情報と、前記緊急情報取得装置を識別するための取得装置識別情報と、を関連づけて格納管理する第１の管理テーブルと、
前記移動体通信端末装置から通知される前記緊急情報と、前記端末装置識別情報と、を受け付け、該受け付けた前記端末装置識別情報を基に、前記第１の管理テーブルを参照し、前記端末装置識別情報と関連づけて前記第１の管理テーブルに格納管理されている前記取得装置識別情報を取得し、該取得した前記取得装置識別情報の緊急情報取得装置に対し、前記移動体通信端末装置から受け付けた前記緊急情報と、前記端末装置識別情報と、を送信する緊急情報送信手段と、
前記移動体通信端末装置から受け付けた前記端末装置識別情報を格納管理する第２の管理テーブルと、
前記移動体通信端末装置を遠隔操作するための遠隔操作要求と、前記端末装置識別情報と、前記取得装置識別情報と、を前記緊急情報取得装置から受信し、該受信した前記端末装置識別情報を基に、前記第２の管理テーブルを参照し、前記緊急情報取得装置から受信した前記端末装置識別情報が、前記第２の管理テーブルに格納管理されていると判断した際に、前記緊急情報取得装置から受信した前記端末装置識別情報と、前記取得装置識別情報と、を基に、前記端末装置識別情報の移動体通信端末装置と、前記取得装置識別情報の緊急情報取得装置と、の間の通信を確立させる通信確立手段と、を有することを特徴とする緊急情報受付装置。
【請求項２】
前記第１の管理テーブルは、
前記緊急情報取得装置と、前記移動体通信端末装置と、の少なくとも１つの装置から、前記端末装置識別情報と前記取得装置識別情報との情報が登録された際に、該登録された前記端末装置識別情報と、前記取得装置識別情報と、を関連づけて格納管理することを特徴とする請求項１記載の緊急情報受付装置。
【請求項３】
前記緊急情報送信手段は、
前記移動体通信端末装置から受け付けた前記端末装置識別情報が、前記第１の管理テーブルに格納管理されているか否かを判断し、前記移動体通信端末装置から受け付けた前記端末装置識別情報が、前記第１の管理テーブルに格納管理されていると判断した際に、前記端末装置識別情報と関連づけて前記第１の管理テーブルに格納管理されている前記取得装置識別情報を取得し、該取得した前記取得装置識別情報の緊急情報取得装置に対し、前記移動体通信端末装置から受け付けた前記緊急情報と、前記端末装置識別情報と、を送信することを特徴とする請求項１記載の緊急情報受付装置。
【請求項４】
前記第２の管理テーブルは、
前記第１の管理テーブルに格納管理されていると判断した前記端末装置識別情報を格納管理することを特徴とする請求項３記載の緊急情報受付装置。
【請求項５】
緊急事態が発生した旨を示す緊急情報を通知する移動体通信端末装置と、前記移動体通信端末装置から通知される前記緊急情報を受け付ける緊急情報受付装置と、前記緊急情報受付装置が受け付けた緊急情報を取得する緊急情報取得装置と、を有して構成される緊急情報通知システムであって、
前記移動体通信端末装置は、
緊急事態が発生した際に、前記緊急情報と、前記移動体通信端末装置を識別するための端末装置識別情報と、を前記緊急情報受付装置に通知する緊急情報通知手段を有し、
前記緊急情報受付装置は、
前記移動体通信端末装置を識別するための端末装置識別情報と、前記緊急情報取得装置を識別するための取得装置識別情報と、を関連づけて格納管理する第１の管理テーブルと、
前記移動体通信端末装置から通知される前記緊急情報と、前記端末装置識別情報と、を受け付け、該受け付けた前記端末装置識別情報を基に、前記第１の管理テーブルを参照し、前記端末装置識別情報と関連づけて前記第１の管理テーブルに格納管理されている前記取得装置識別情報を取得し、該取得した前記取得装置識別情報の緊急情報取得装置に対し、前記移動体通信端末装置から受け付けた前記緊急情報と、前記端末装置識別情報と、を送信する緊急情報送信手段と、
前記移動体通信端末装置から受け付けた前記端末装置識別情報を格納管理する第２の管理テーブルと、
前記移動体通信端末装置を遠隔操作するための遠隔操作要求と、前記端末装置識別情報と、前記取得装置識別情報と、を前記緊急情報取得装置から受信し、該受信した前記端末装置識別情報を基に、前記第２の管理テーブルを参照し、前記緊急情報取得装置から受信した前記端末装置識別情報が、前記第２の管理テーブルに格納管理されていると判断した際に、前記緊急情報取得装置から受信した前記端末装置識別情報と、前記取得装置識別情報と、を基に、前記端末装置識別情報の移動体通信端末装置と、前記取得装置識別情報の緊急情報取得装置と、の間の通信を確立させる通信確立手段と、を有し、
前記緊急情報取得装置は、
前記緊急情報受付装置から送信される前記緊急情報と、前記端末装置識別情報と、を受信し、該受信した端末装置識別情報の移動体通信端末装置を遠隔操作するための遠隔操作要求と、前記端末装置識別情報と、前記取得装置識別情報と、を前記緊急情報受付装置に送信する遠隔操作要求手段と、
通信が確立した前記移動体通信端末装置を遠隔操作し、緊急事態が発生した際の音声情報と、映像情報と、の少なくとも１つの情報を、前記移動体通信端末装置から取得する緊急事態情報取得手段と、を有することを特徴とする緊急情報通知システム。
【請求項６】
前記第１の管理テーブルは、
前記緊急情報取得装置と、前記移動体通信端末装置と、の少なくとも１つの装置から登録される、前記端末装置識別情報と前記取得装置識別情報との情報を基に、前記端末装置識別情報と、前記取得装置識別情報と、を関連づけて格納管理することを特徴とする請求項５記載の緊急情報通知システム。
【請求項７】
前記緊急情報受付装置は、
前記緊急情報取得装置から受信した前記端末装置識別情報が、前記第２の管理テーブルに格納管理されていると判断した際に、前記端末装置識別情報の移動体通信端末装置に対し、前記遠隔操作要求と、前記取得装置識別情報と、を送信する送信手段を有し、
前記移動体通信端末装置は、
前記緊急情報受付装置から送信される前記遠隔操作要求と、前記取得装置識別情報と、を受信した際に、該受信した取得装置識別情報の緊急情報取得装置との通信を確立する確立手段を有することを特徴とする請求項５記載の緊急情報通知システム。
【請求項８】
前記緊急情報受付装置は、
前記緊急情報取得装置から受信した前記端末装置識別情報が、前記第２の管理テーブルに格納管理されていると判断した際に、遠隔操作を認容する旨の認容情報と、前記端末装置識別情報と、を前記緊急情報取得装置に送信する送信手段を有し、
前記緊急情報取得装置は、
前記緊急情報受付装置から送信される前記認容情報と、前記端末装置識別情報と、を受信した際に、該受信した端末装置識別情報の移動体通信端末装置との通信を確立する確立手段を有することを特徴とする請求項５記載の緊急情報通知システム。
【請求項９】
前記移動体通信端末装置は、
緊急事態が発生したと判断した際に、前記移動体通信端末装置の位置する位置情報を取得し、該取得した位置情報を含む前記緊急情報と、前記端末装置識別情報と、を前記緊急情報受付装置に通知し、
前記緊急情報取得装置は、前記位置情報を含む前記緊急情報を取得することを特徴とする請求項５記載の緊急情報通知システム。
【請求項１０】
前記緊急情報取得装置は、
前記端末装置識別情報を格納管理する管理テーブルを有し、
前記緊急情報受付装置から受信した前記端末装置識別情報が、前記管理テーブルに格納管理されていると判断した場合に、前記遠隔操作要求と、前記端末装置識別情報と、前記取得装置識別情報と、を前記緊急情報受付装置に送信することを特徴とする請求項５記載の緊急情報通知システム。
【請求項１１】
前記移動体通信端末装置は、
前記緊急情報と、前記端末装置識別情報と、を前記緊急情報受付装置に通知した際に、前記移動体通信端末装置の具備する操作部からの操作を無効にさせる無効制御を行う操作無効制御手段を有することを特徴とする請求項５記載の緊急情報通知システム。
【請求項１２】
前記緊急情報取得装置は、
前記無効制御を解除するための解除要求を前記移動体通信端末装置に送信する解除要求手段を有し、
前記移動体通信端末装置は、
前記緊急情報取得装置から前記解除要求を受信した際に、前記無効制御を解除することを特徴とする請求項１１記載の緊急情報通知システム。
【請求項１３】
前記移動体通信端末装置は、
前記無効制御の解除を容認するための認証情報を格納管理する格納部を有し、
前記緊急情報取得装置は、
前記解除要求と、前記認証情報と、を前記移動体通信端末装置に送信し、
前記移動体通信端末装置は、
前記緊急情報受付装置から前記解除要求と、前記認証情報と、を受信した際に、前記格納部を参照し、前記認証情報が前記格納部に格納管理されていると判断した際に、前記無効制御を解除することを特徴とする請求項１２記載の緊急情報通知システム。
【請求項１４】
前記緊急情報受付装置は、
前記移動体通信端末装置から受け付けた前記端末装置識別情報が、前記第１の管理テーブルに格納管理されているか否かを判断し、前記移動体通信端末装置から受け付けた前記端末装置識別情報が、前記第１の管理テーブルに格納管理されていると判断した際に、前記端末装置識別情報と関連づけて前記第１の管理テーブルに格納管理されている前記取得装置識別情報を取得し、該取得した前記取得装置識別情報の緊急情報取得装置に対し、前記移動体通信端末装置から受け付けた前記緊急情報と、前記端末装置識別情報と、を送信することを特徴とする請求項５記載の緊急情報通知システム。
【請求項１５】
前記第２の管理テーブルは、
前記第１の管理テーブルに格納管理されていると判断した前記端末装置識別情報を格納管理することを特徴とする請求項１４記載の緊急情報通知システム。
【請求項１６】
緊急事態が発生した旨を示す緊急情報を通知する移動体通信端末装置と、前記緊急情報を取得する緊急情報取得装置と、接続し、前記移動体通信端末装置から通知される前記緊急情報を受け付け、該受け付けた緊急情報を前記緊急情報取得装置に送信する緊急情報受付装置が行う緊急情報通知方法であって、
前記緊急情報受付装置は、
前記移動体通信端末装置を識別するための端末装置識別情報と、前記緊急情報取得装置を識別するための取得装置識別情報と、を関連づけて格納管理する第１の管理テーブルと、
前記移動体通信端末装置から受け付けた前記端末装置識別情報を格納管理する第２の管理テーブルと、を有し、
前記移動体通信端末装置から通知される前記緊急情報と、前記端末装置識別情報と、を受け付け、該受け付けた前記端末装置識別情報を基に、前記第１の管理テーブルを参照し、前記端末装置識別情報と関連づけて前記第１の管理テーブルに格納管理されている前記取得装置識別情報を取得し、該取得した前記取得装置識別情報の緊急情報取得装置に対し、前記移動体通信端末装置から受け付けた前記緊急情報と、前記端末装置識別情報と、を送信する緊急情報送信工程と、
前記移動体通信端末装置を遠隔操作するための遠隔操作要求と、前記端末装置識別情報と、前記取得装置識別情報と、を前記緊急情報取得装置から受信し、該受信した前記端末装置識別情報を基に、前記第２の管理テーブルを参照し、前記緊急情報取得装置から受信した前記端末装置識別情報が、前記第２の管理テーブルに格納管理されていると判断した際に、前記緊急情報取得装置から受信した前記端末装置識別情報と、前記取得装置識別情報と、を基に、前記端末装置識別情報の移動体通信端末装置と、前記取得装置識別情報の緊急情報取得装置と、の間の通信を確立させる通信確立工程と、を、前記緊急情報受付装置が行うことを特徴とする緊急情報通知方法。
【請求項１７】
前記緊急情報取得装置と、前記移動体通信端末装置と、の少なくとも１つの装置から、前記端末装置識別情報と前記取得装置識別情報との情報が登録された際に、該登録された前記端末装置識別情報と、前記取得装置識別情報と、を関連づけて前記第１の管理テーブルに格納管理する工程を、前記緊急情報受付装置が行うことを特徴とする請求項１６記載の緊急情報通知方法。
【請求項１８】
前記緊急情報送信工程は、
前記移動体通信端末装置から受け付けた前記端末装置識別情報が、前記第１の管理テーブルに格納管理されているか否かを判断し、前記移動体通信端末装置から受け付けた前記端末装置識別情報が、前記第１の管理テーブルに格納管理されていると判断した際に、前記端末装置識別情報と関連づけて前記第１の管理テーブルに格納管理されている前記取得装置識別情報を取得し、該取得した前記取得装置識別情報の緊急情報取得装置に対し、前記移動体通信端末装置から受け付けた前記緊急情報と、前記端末装置識別情報と、を送信することを特徴とする請求項１６記載の緊急情報通知方法。
【請求項１９】
前記第１の管理テーブルに格納管理されていると判断した前記端末装置識別情報を、前記第２の管理テーブルに格納管理する工程を、前記緊急情報受付装置が行うことを特徴とする請求項１８記載の緊急情報通知方法。
【請求項２０】
緊急事態が発生した旨を示す緊急情報を通知する移動体通信端末装置と、前記移動体通信端末装置から通知される前記緊急情報を受け付ける緊急情報受付装置と、前記緊急情報受付装置が受け付けた緊急情報を取得する緊急情報取得装置と、を有して構成される緊急情報通知システムにおける緊急情報通知方法であって、
前記緊急情報受付装置は、前記移動体通信端末装置を識別するための端末装置識別情報と、前記緊急情報取得装置を識別するための取得装置識別情報と、を関連づけて前記緊急情報管理装置の具備する第１の格納部に格納管理しており、
緊急事態が発生した際に、前記移動体通信端末装置が、前記緊急情報と、前記端末装置識別情報と、を前記緊急情報受付装置に通知する緊急情報通知工程と、
前記移動体通信端末装置から通知された前記緊急情報と、前記端末装置識別情報と、を受け付けた前記緊急情報受付装置が、前記第１の格納部を参照し、前記端末装置識別情報と関連づけて前記第１の格納部に格納管理されている前記取得装置識別情報を取得し、該取得した前記取得装置識別情報の緊急情報取得装置に対し、前記移動体通信端末装置から受け付けた前記緊急情報と、前記端末装置識別情報と、を送信する緊急情報送信工程と、
前記緊急情報受付装置が、前記移動体通信端末装置から受け付けた前記端末装置識別情報を前記緊急情報受付装置の具備する第２の格納部に格納管理する識別情報管理工程と、
前記緊急情報受付装置から送信された前記緊急情報と、前記端末装置識別情報と、を受信した前記緊急情報取得装置が、前記移動体通信端末装置を遠隔操作するための遠隔操作要求と、前記端末装置識別情報と、前記取得装置識別情報と、を前記緊急情報受付装置に送信する遠隔操作要求工程と、
前記緊急情報取得装置から送信された前記遠隔操作要求と、前記端末装置識別情報と、前記取得装置識別情報と、を受信した前記緊急情報受付装置が、前記第２の格納部を参照し、前記緊急情報取得装置から受信した前記端末装置識別情報が、前記第２の格納部に格納管理されていると判断した際に、前記緊急情報取得装置から受信した前記端末装置識別情報と、前記取得装置識別情報と、を基に、前記端末装置識別情報の移動体通信端末装置と、前記取得装置識別情報の緊急情報取得装置と、の間の通信を確立させる通信確立工程と、
前記移動体通信端末装置との通信を確立した前記緊急情報取得装置が、前記移動体通信端末装置を遠隔操作し、緊急事態が発生した際の音声情報と、映像情報と、の少なくとも１つの情報を、前記移動体通信端末装置から取得する緊急事態情報取得工程と、
を行うことを特徴とする緊急情報通知方法。
【請求項２１】
前記緊急情報取得装置と、前記移動体通信端末装置と、の少なくとも１つの装置が、前記端末装置識別情報と、前記取得装置識別情報と、の情報を前記緊急情報受付装置に登録する登録工程を行い、
前記緊急情報受付装置は、
前記端末装置識別情報と前記取得装置識別情報との情報が登録されたと判断した際に、前記端末装置識別情報と、前記取得装置識別情報と、を関連づけて前記第１の格納部に格納管理することを特徴とする請求項２０記載の緊急情報通知方法。
【請求項２２】
前記緊急情報受付装置は、
前記緊急情報取得装置から受信した前記端末装置識別情報が、前記第２の格納部に格納管理されていると判断した際に、前記端末装置識別情報の移動体通信端末装置に対し、前記遠隔操作要求と、前記取得装置識別情報と、を送信する送信工程を行い、
前記移動体通信端末装置は、
前記緊急情報受付装置から送信される前記遠隔操作要求と、前記取得装置識別情報と、を受信した際に、該受信した取得装置識別情報の緊急情報取得装置との通信を確立する確立工程を行うことを特徴とする請求項２０記載の緊急情報通知方法。
【請求項２３】
前記緊急情報受付装置は、
前記緊急情報取得装置から受信した前記端末装置識別情報が、前記第２の格納部に格納管理されていると判断した際に、遠隔操作を認容する旨の認容情報と、前記端末装置識別情報と、を前記緊急情報取得装置に送信する送信工程を行い、
前記緊急情報取得装置は、
前記緊急情報受付装置から送信される前記認容情報と、前記端末装置識別情報と、を受信した際に、該受信した端末装置識別情報の移動体通信端末装置との通信を確立する確立工程を行うことを特徴とする請求項２０記載の緊急情報通知方法。
【請求項２４】
前記移動体通信端末装置は、
緊急事態が発生したと判断した際に、前記移動体通信端末装置の位置する位置情報を取得し、該取得した位置情報を含む前記緊急情報と、前記端末装置識別情報と、を前記緊急情報受付装置に通知し、
前記緊急情報取得装置は、前記位置情報を含む前記緊急情報を取得することを特徴とする請求項２０記載の緊急情報通知方法。
【請求項２５】
前記緊急情報取得装置は、
前記緊急情報取得装置の具備する格納部に、前記端末装置識別情報を格納管理しており、
前記緊急情報受付装置から受信した前記端末装置識別情報が、前記緊急情報取得装置の具備する格納部に格納管理されていると判断した場合に、前記遠隔操作要求と、前記端末装置識別情報と、前記取得装置識別情報と、を前記緊急情報受付装置に送信することを特徴とする請求項２０記載の緊急情報通知方法。
【請求項２６】
前記移動体通信端末装置は、
前記緊急情報と、前記端末装置識別情報と、を前記緊急情報受付装置に通知した際に、前記移動体通信端末装置の具備する操作部からの操作を無効にさせる無効制御を行うことを特徴とする請求項２０記載の緊急情報通知方法。
【請求項２７】
前記緊急情報取得装置は、
前記無効制御を解除するための解除要求を前記移動体通信端末装置に送信する解除要求工程を行い、
前記移動体通信端末装置は、
前記緊急情報取得装置から前記解除要求を受信した際に、前記無効制御を解除することを特徴とする請求項２６記載の緊急情報通知方法。
【請求項２８】
前記移動体通信端末装置は、
前記無効制御の解除を容認するための認証情報を格納管理する格納部を有し、
前記緊急情報取得装置は、
前記解除要求と、前記認証情報と、を前記移動体通信端末装置に送信し、
前記移動体通信端末装置は、
前記緊急情報受付装置から前記解除要求と、前記認証情報と、を受信した際に、前記格納部を参照し、前記認証情報が前記格納部に格納管理されていると判断した際に、前記無効制御を解除することを特徴とする請求項２７記載の緊急情報通知方法。
【請求項２９】
前記緊急情報受付装置は、
前記移動体通信端末装置から受け付けた前記端末装置識別情報が、前記第１の格納部に格納管理されているか否かを判断し、前記移動体通信端末装置から受け付けた前記端末装置識別情報が、前記第１の格納部に格納管理されていると判断した際に、前記端末装置識別情報と関連づけて前記第１の格納部に格納管理されている前記取得装置識別情報を取得し、該取得した前記取得装置識別情報の緊急情報取得装置に対し、前記移動体通信端末装置から受け付けた前記緊急情報と、前記端末装置識別情報と、を送信することを特徴とする請求項２０記載の緊急情報通知方法。
【請求項３０】
前記緊急情報受付装置は、
前記移動体通信端末装置から受け付けた前記端末装置識別情報が、前記第１の格納部に格納管理されていると判断した前記端末装置識別情報を、前記第２の格納部に格納管理する工程を行うことを特徴とする請求項２９記載の緊急情報通知方法。
【発明の詳細な説明】
【技術分野】
【０００１】
本発明は、緊急事態が発生した旨を示す緊急情報を受け付け、その受け付けた緊急情報を任意の装置に対して通知する緊急情報受付装置、緊急情報通知システム及び緊急情報通知方法に関するものである。
【背景技術】
【０００２】
近年の犯罪の増加に伴い、防犯に対する関心も高まりつつあり、緊急事態が発生した際の状況を確実且つ詳細に通知することが可能なシステムの開発が所望されている。
【０００３】
このようなことから、本発明より先に出願された技術文献として、緊急事態の発生を通知する携帯端末であって、送信先と、メール送信文章とを記憶する記憶部と、特定のスイッチのＯＮ又はＯＦＦを検出すると、前記記憶しているメール送信文章を前記記憶しているメール送信先に送信させるメール送信指示をする検出部と、前記メール送信指示をうけ、前記記憶しているメール送信文章を前記記憶しているメール送信先に送信する送信部と、を備え、緊急事態の発生を通信する携帯端末が開示された文献がある（例えば、特許文献１参照）。
【０００４】
また、緊急時を検出し、緊急通報信号を出力する緊急時検出手段と、個人情報を格納する個人情報記憶手段と、通信先のメールアドレスを記憶するアドレス記憶手段と、通信先のメールアドレスに対し、前記個人情報記憶手段の前記個人情報を送信すると共に、前記緊急検出手段から緊急通報信号が与えられたら、前記アドレス記憶手段に登録されている特定のメールアドレス先へＥメール送信を行うメッセージ送信手段と、を具備し、緊急事態をより確実かつ詳細に伝達することを可能とする緊急通報装置が開示された文献がある（例えば、特許文献２参照）。
【０００５】
また、ユーザ携帯端末と、警備会社サーバと、警備員携帯端末と、これらを相互に接続するネットワークとを備えた携帯端末を利用した防犯・緊急通報システムであって、前記ユーザ携帯端末は、予め定められた緊急時操作を検出してユーザ携帯端末に備えられたカメラ，マイクおよびブザーを作動させる手段と、位置情報を取得する手段と、前記警備会社サーバにアクセスし、カメラによる映像情報とマイクによる音声情報と位置情報とを緊急通報情報として送信する手段とを有し、前記警備会社サーバは、ユーザの個人情報を予め登録したデータベースと、前記警備員携帯端末から定期的に送信される位置情報を登録，更新する手段と、前記緊急通報情報を受信したときに、前記ユーザ携帯端末から受信した音声情報，映像情報および位置情報を記録する手段と、前記ユーザ携帯端末の位置に最も近い警備員携帯端末を検索し、ユーザの位置情報とユーザ個人情報とを含む救助依頼のメールを送信する手段と、前記警備員携帯端末から承諾可の回答を受信した場合に、音声情報，映像情報参照のためのアクセス先を前記警備員携帯端末に通知する手段と、前記警備員携帯端末から救助結果報告を受信し救助内容に応じた料金をユーザ毎に登録する手段とを有し、前記警備員携帯端末は、定期的に位置情報を取得して前記警備会社サーバに送信する手段と、前記救助依頼のメール受信時に警備員から入力された承諾可否の回答を前記警備会社サーバに返信する手段と、前記アクセス先にアクセスして前記ユーザ携帯端末から送られた音声情報，映像情報を参照する手段と、警備員から入力された救助結果報告を前記警備会社サーバに送信する手段とを有し、ユーザ携帯端末において緊急時操作を行うだけで防犯、通報、救助に関する一連の処理を行うとともに、ユーザ状況の記録を音声、映像の両方で行う防犯・緊急通報システムが開示された文献がある（例えば、特許文献３参照）。
【特許文献１】特開２００３−１１０７５２号公報
【特許文献２】特開２００４−３５５５３９号公報
【特許文献３】特開２００５−２０８８５８号公報
【発明の開示】
【発明が解決しようとする課題】
【０００６】
なお、上記特許文献１〜３には、緊急事態が発生した際に、緊急事態が発生した際の音声情報や映像情報などの情報を、第１の端末装置から第２の端末装置に対して通知するための技術内容が開示されているが、緊急事態が発生した際の音声情報や映像情報などの情報を、第２の端末装置からの遠隔操作により第１の端末装置から取得することについては何ら考慮されたものではない。
【０００７】
本発明は、上記事情に鑑みてなされたものであり、緊急事態が発生した際の音声情報と、映像情報と、の少なくとも１つの情報を、遠隔操作により取得することを可能とした緊急情報受付装置、緊急情報通知システム及び緊急情報通知方法を提供することを目的とするものである。
【課題を解決するための手段】
【０００８】
かかる目的を達成するために、本発明は以下の特徴を有することとする。
【０００９】
本発明にかかる緊急情報受付装置は、緊急事態が発生した旨を示す緊急情報を通知する移動体通信端末装置と、緊急情報を取得する緊急情報取得装置と、接続し、移動体通信端末装置から通知される緊急情報を受け付け、該受け付けた緊急情報を緊急情報取得装置に送信する緊急情報受付装置であって、移動体通信端末装置を識別するための端末装置識別情報と、緊急情報取得装置を識別するための取得装置識別情報と、を関連づけて格納管理する第１の管理テーブルと、移動体通信端末装置から通知される緊急情報と、端末装置識別情報と、を受け付け、該受け付けた端末装置識別情報を基に、第１の管理テーブルを参照し、端末装置識別情報と関連づけて第１の管理テーブルに格納管理されている取得装置識別情報を取得し、該取得した取得装置識別情報の緊急情報取得装置に対し、移動体通信端末装置から受け付けた緊急情報と、端末装置識別情報と、を送信する緊急情報送信手段と、移動体通信端末装置から受け付けた端末装置識別情報を格納管理する第２の管理テーブルと、移動体通信端末装置を遠隔操作するための遠隔操作要求と、端末装置識別情報と、取得装置識別情報と、を緊急情報取得装置から受信し、該受信した端末装置識別情報を基に、第２の管理テーブルを参照し、緊急情報取得装置から受信した端末装置識別情報が、第２の管理テーブルに格納管理されていると判断した際に、緊急情報取得装置から受信した端末装置識別情報と、取得装置識別情報と、を基に、端末装置識別情報の移動体通信端末装置と、取得装置識別情報の緊急情報取得装置と、の間の通信を確立させる通信確立手段と、を有することを特徴とするものである。
【００１０】
また、本発明にかかる緊急情報受付装置において、第１の管理テーブルは、緊急情報取得装置と、移動体通信端末装置と、の少なくとも１つの装置から、端末装置識別情報と取得装置識別情報との情報が登録された際に、該登録された端末装置識別情報と、取得装置識別情報と、を関連づけて格納管理することを特徴とするものである。
【００１１】
また、本発明にかかる緊急情報受付装置において、緊急情報送信手段は、移動体通信端末装置から受け付けた端末装置識別情報が、第１の管理テーブルに格納管理されているか否かを判断し、移動体通信端末装置から受け付けた端末装置識別情報が、第１の管理テーブルに格納管理されていると判断した際に、端末装置識別情報と関連づけて第１の管理テーブルに格納管理されている取得装置識別情報を取得し、該取得した取得装置識別情報の緊急情報取得装置に対し、移動体通信端末装置から受け付けた緊急情報と、端末装置識別情報と、を送信することを特徴とするものである。
【００１２】
また、本発明にかかる緊急情報受付装置において、第２の管理テーブルは、第１の管理テーブルに格納管理されていると判断した端末装置識別情報を格納管理することを特徴とするものである。
【００１３】
また、本発明にかかる緊急情報通知システムは、緊急事態が発生した旨を示す緊急情報を通知する移動体通信端末装置と、移動体通信端末装置から通知される緊急情報を受け付ける緊急情報受付装置と、緊急情報受付装置が受け付けた緊急情報を取得する緊急情報取得装置と、を有して構成される緊急情報通知システムであって、移動体通信端末装置は、緊急事態が発生した際に、緊急情報と、移動体通信端末装置を識別するための端末装置識別情報と、を緊急情報受付装置に通知する緊急情報通知手段を有し、緊急情報受付装置は、移動体通信端末装置を識別するための端末装置識別情報と、緊急情報取得装置を識別するための取得装置識別情報と、を関連づけて格納管理する第１の管理テーブルと、移動体通信端末装置から通知される緊急情報と、端末装置識別情報と、を受け付け、該受け付けた端末装置識別情報を基に、第１の管理テーブルを参照し、端末装置識別情報と関連づけて第１の管理テーブルに格納管理されている取得装置識別情報を取得し、該取得した取得装置識別情報の緊急情報取得装置に対し、移動体通信端末装置から受け付けた緊急情報と、端末装置識別情報と、を送信する緊急情報送信手段と、移動体通信端末装置から受け付けた端末装置識別情報を格納管理する第２の管理テーブルと、移動体通信端末装置を遠隔操作するための遠隔操作要求と、端末装置識別情報と、取得装置識別情報と、を緊急情報取得装置から受信し、該受信した端末装置識別情報を基に、第２の管理テーブルを参照し、緊急情報取得装置から受信した端末装置識別情報が、第２の管理テーブルに格納管理されていると判断した際に、緊急情報取得装置から受信した端末装置識別情報と、取得装置識別情報と、を基に、端末装置識別情報の移動体通信端末装置と、取得装置識別情報の緊急情報取得装置と、の間の通信を確立させる通信確立手段と、を有し、緊急情報取得装置は、緊急情報受付装置から送信される緊急情報と、端末装置識別情報と、を受信し、該受信した端末装置識別情報の移動体通信端末装置を遠隔操作するための遠隔操作要求と、端末装置識別情報と、取得装置識別情報と、を緊急情報受付装置に送信する遠隔操作要求手段と、通信が確立した移動体通信端末装置を遠隔操作し、緊急事態が発生した際の音声情報と、映像情報と、の少なくとも１つの情報を、移動体通信端末装置から取得する緊急事態情報取得手段と、を有することを特徴とするものである。
【００１４】
また、本発明にかかる緊急情報通知システムにおいて、第１の管理テーブルは、緊急情報取得装置と、移動体通信端末装置と、の少なくとも１つの装置から登録される、端末装置識別情報と取得装置識別情報との情報を基に、端末装置識別情報と、取得装置識別情報と、を関連づけて格納管理することを特徴とするものである。
【００１５】
また、本発明にかかる緊急情報通知システムにおいて、緊急情報受付装置は、緊急情報取得装置から受信した端末装置識別情報が、第２の管理テーブルに格納管理されていると判断した際に、端末装置識別情報の移動体通信端末装置に対し、遠隔操作要求と、取得装置識別情報と、を送信する送信手段を有し、移動体通信端末装置は、緊急情報受付装置から送信される遠隔操作要求と、取得装置識別情報と、を受信した際に、該受信した取得装置識別情報の緊急情報取得装置との通信を確立する確立手段を有することを特徴とするものである。
【００１６】
また、本発明にかかる緊急情報通知システムにおいて、緊急情報受付装置は、緊急情報取得装置から受信した端末装置識別情報が、第２の管理テーブルに格納管理されていると判断した際に、遠隔操作を認容する旨の認容情報と、端末装置識別情報と、を緊急情報取得装置に送信する送信手段を有し、緊急情報取得装置は、緊急情報受付装置から送信される認容情報と、端末装置識別情報と、を受信した際に、該受信した端末装置識別情報の移動体通信端末装置との通信を確立する確立手段を有することを特徴とするものである。
【００１７】
また、本発明にかかる緊急情報通知システムにおいて、移動体通信端末装置は、緊急事態が発生したと判断した際に、移動体通信端末装置の位置する位置情報を取得し、該取得した位置情報を含む緊急情報と、端末装置識別情報と、を緊急情報受付装置に通知し、緊急情報取得装置は、位置情報を含む緊急情報を取得することを特徴とするものである。
【００１８】
また、本発明にかかる緊急情報通知システムにおいて、緊急情報取得装置は、端末装置識別情報を格納管理する管理テーブルを有し、緊急情報受付装置から受信した端末装置識別情報が、管理テーブルに格納管理されていると判断した場合に、遠隔操作要求と、端末装置識別情報と、取得装置識別情報と、を緊急情報受付装置に送信することを特徴とするものである。
【００１９】
また、本発明にかかる緊急情報通知システムにおいて、移動体通信端末装置は、緊急情報と、端末装置識別情報と、を緊急情報受付装置に通知した際に、移動体通信端末装置の具備する操作部からの操作を無効にさせる無効制御を行う操作無効制御手段を有することを特徴とするものである。
【００２０】
また、本発明にかかる緊急情報通知システムにおいて、緊急情報取得装置は、無効制御を解除するための解除要求を移動体通信端末装置に送信する解除要求手段を有し、移動体通信端末装置は、緊急情報取得装置から解除要求を受信した際に、無効制御を解除することを特徴とするものである。
【００２１】
また、本発明にかかる緊急情報通知システムにおいて、移動体通信端末装置は、無効制御の解除を容認するための認証情報を格納管理する格納部を有し、緊急情報取得装置は、解除要求と、認証情報と、を移動体通信端末装置に送信し、移動体通信端末装置は、緊急情報受付装置から解除要求と、認証情報と、を受信した際に、格納部を参照し、認証情報が格納部に格納管理されていると判断した際に、無効制御を解除することを特徴とするものである。
【００２２】
また、本発明にかかる緊急情報通知システムにおいて、緊急情報受付装置は、移動体通信端末装置から受け付けた端末装置識別情報が、第１の管理テーブルに格納管理されているか否かを判断し、移動体通信端末装置から受け付けた端末装置識別情報が、第１の管理テーブルに格納管理されていると判断した際に、端末装置識別情報と関連づけて第１の管理テーブルに格納管理されている取得装置識別情報を取得し、該取得した取得装置識別情報の緊急情報取得装置に対し、移動体通信端末装置から受け付けた緊急情報と、端末装置識別情報と、を送信することを特徴とするものである。
【００２３】
また、本発明にかかる緊急情報通知システムにおいて、第２の管理テーブルは、第１の管理テーブルに格納管理されていると判断した端末装置識別情報を格納管理することを特徴とするものである。
【００２４】
また、本発明にかかる緊急情報通知方法は、緊急事態が発生した旨を示す緊急情報を通知する移動体通信端末装置と、緊急情報を取得する緊急情報取得装置と、接続し、移動体通信端末装置から通知される緊急情報を受け付け、該受け付けた緊急情報を緊急情報取得装置に送信する緊急情報受付装置が行う緊急情報通知方法であって、緊急情報受付装置は、移動体通信端末装置を識別するための端末装置識別情報と、緊急情報取得装置を識別するための取得装置識別情報と、を関連づけて格納管理する第１の管理テーブルと、移動体通信端末装置から受け付けた端末装置識別情報を格納管理する第２の管理テーブルと、を有し、移動体通信端末装置から通知される緊急情報と、端末装置識別情報と、を受け付け、該受け付けた端末装置識別情報を基に、第１の管理テーブルを参照し、端末装置識別情報と関連づけて第１の管理テーブルに格納管理されている取得装置識別情報を取得し、該取得した取得装置識別情報の緊急情報取得装置に対し、移動体通信端末装置から受け付けた緊急情報と、端末装置識別情報と、を送信する緊急情報送信工程と、移動体通信端末装置を遠隔操作するための遠隔操作要求と、端末装置識別情報と、取得装置識別情報と、を緊急情報取得装置から受信し、該受信した端末装置識別情報を基に、第２の管理テーブルを参照し、緊急情報取得装置から受信した端末装置識別情報が、第２の管理テーブルに格納管理されていると判断した際に、緊急情報取得装置から受信した端末装置識別情報と、取得装置識別情報と、を基に、端末装置識別情報の移動体通信端末装置と、取得装置識別情報の緊急情報取得装置と、の間の通信を確立させる通信確立工程と、を、緊急情報受付装置が行うことを特徴とするものである。
【００２５】
また、本発明にかかる緊急情報通知方法は、緊急情報取得装置と、移動体通信端末装置と、の少なくとも１つの装置から、端末装置識別情報と取得装置識別情報との情報が登録された際に、該登録された端末装置識別情報と、取得装置識別情報と、を関連づけて第１の管理テーブルに格納管理する工程を、緊急情報受付装置が行うことを特徴とするものである。
【００２６】
また、本発明にかかる緊急情報通知方法において、緊急情報送信工程は、移動体通信端末装置から受け付けた端末装置識別情報が、第１の管理テーブルに格納管理されているか否かを判断し、移動体通信端末装置から受け付けた端末装置識別情報が、第１の管理テーブルに格納管理されていると判断した際に、端末装置識別情報と関連づけて第１の管理テーブルに格納管理されている取得装置識別情報を取得し、該取得した取得装置識別情報の緊急情報取得装置に対し、移動体通信端末装置から受け付けた緊急情報と、端末装置識別情報と、を送信することを特徴とするものである。
【００２７】
また、本発明にかかる緊急情報通知方法は、第１の管理テーブルに格納管理されていると判断した端末装置識別情報を、第２の管理テーブルに格納管理する工程を、緊急情報受付装置が行うことを特徴とするものである。
【００２８】
また、本発明にかかる緊急情報通知方法は、緊急事態が発生した旨を示す緊急情報を通知する移動体通信端末装置と、移動体通信端末装置から通知される緊急情報を受け付ける緊急情報受付装置と、緊急情報受付装置が受け付けた緊急情報を取得する緊急情報取得装置と、を有して構成される緊急情報通知システムにおける緊急情報通知方法であって、緊急情報受付装置は、移動体通信端末装置を識別するための端末装置識別情報と、緊急情報取得装置を識別するための取得装置識別情報と、を関連づけて緊急情報管理装置の具備する第１の格納部に格納管理しており、緊急事態が発生した際に、移動体通信端末装置が、緊急情報と、端末装置識別情報と、を緊急情報受付装置に通知する緊急情報通知工程と、移動体通信端末装置から通知された緊急情報と、端末装置識別情報と、を受け付けた緊急情報受付装置が、第１の格納部を参照し、端末装置識別情報と関連づけて第１の格納部に格納管理されている取得装置識別情報を取得し、該取得した取得装置識別情報の緊急情報取得装置に対し、移動体通信端末装置から受け付けた緊急情報と、端末装置識別情報と、を送信する緊急情報送信工程と、緊急情報受付装置が、移動体通信端末装置から受け付けた端末装置識別情報を緊急情報受付装置の具備する第２の格納部に格納管理する識別情報管理工程と、緊急情報受付装置から送信された緊急情報と、端末装置識別情報と、を受信した緊急情報取得装置が、移動体通信端末装置を遠隔操作するための遠隔操作要求と、端末装置識別情報と、取得装置識別情報と、を緊急情報受付装置に送信する遠隔操作要求工程と、緊急情報取得装置から送信された遠隔操作要求と、端末装置識別情報と、取得装置識別情報と、を受信した緊急情報受付装置が、第２の格納部を参照し、緊急情報取得装置から受信した端末装置識別情報が、第２の格納部に格納管理されていると判断した際に、緊急情報取得装置から受信した端末装置識別情報と、取得装置識別情報と、を基に、端末装置識別情報の移動体通信端末装置と、取得装置識別情報の緊急情報取得装置と、の間の通信を確立させる通信確立工程と、移動体通信端末装置との通信を確立した緊急情報取得装置が、移動体通信端末装置を遠隔操作し、緊急事態が発生した際の音声情報と、映像情報と、の少なくとも１つの情報を、移動体通信端末装置から取得する緊急事態情報取得工程と、を行うことを特徴とするものである。
【００２９】
また、本発明にかかる緊急情報通知方法は、緊急情報取得装置と、移動体通信端末装置と、の少なくとも１つの装置が、端末装置識別情報と、取得装置識別情報と、の情報を緊急情報受付装置に登録する登録工程を行い、緊急情報受付装置は、端末装置識別情報と取得装置識別情報との情報が登録されたと判断した際に、端末装置識別情報と、取得装置識別情報と、を関連づけて第１の格納部に格納管理することを特徴とするものである。
【００３０】
また、本発明にかかる緊急情報通知方法において、緊急情報受付装置は、緊急情報取得装置から受信した端末装置識別情報が、第２の格納部に格納管理されていると判断した際に、端末装置識別情報の移動体通信端末装置に対し、遠隔操作要求と、取得装置識別情報と、を送信する送信工程を行い、移動体通信端末装置は、緊急情報受付装置から送信される遠隔操作要求と、取得装置識別情報と、を受信した際に、該受信した取得装置識別情報の緊急情報取得装置との通信を確立する確立工程を行うことを特徴とするものである。
【００３１】
また、本発明にかかる緊急情報通知方法において、緊急情報受付装置は、緊急情報取得装置から受信した端末装置識別情報が、第２の格納部に格納管理されていると判断した際に、遠隔操作を認容する旨の認容情報と、端末装置識別情報と、を緊急情報取得装置に送信する送信工程を行い、緊急情報取得装置は、緊急情報受付装置から送信される認容情報と、端末装置識別情報と、を受信した際に、該受信した端末装置識別情報の移動体通信端末装置との通信を確立する確立工程を行うことを特徴とするものである。
【００３２】
また、本発明にかかる緊急情報通知方法において、移動体通信端末装置は、緊急事態が発生したと判断した際に、移動体通信端末装置の位置する位置情報を取得し、該取得した位置情報を含む緊急情報と、端末装置識別情報と、を緊急情報受付装置に通知し、緊急情報取得装置は、位置情報を含む緊急情報を取得することを特徴とするものである。
【００３３】
また、本発明にかかる緊急情報通知方法において、緊急情報取得装置は、緊急情報取得装置の具備する格納部に、端末装置識別情報を格納管理しており、緊急情報受付装置から受信した端末装置識別情報が、緊急情報取得装置の具備する格納部に格納管理されていると判断した場合に、遠隔操作要求と、端末装置識別情報と、取得装置識別情報と、を緊急情報受付装置に送信することを特徴とするものである。
【００３４】
また、本発明にかかる緊急情報通知方法において、移動体通信端末装置は、緊急情報と、端末装置識別情報と、を緊急情報受付装置に通知した際に、移動体通信端末装置の具備する操作部からの操作を無効にさせる無効制御を行うことを特徴とするものである。
【００３５】
また、本発明にかかる緊急情報通知方法において、緊急情報取得装置は、無効制御を解除するための解除要求を移動体通信端末装置に送信する解除要求工程を行い、
移動体通信端末装置は、緊急情報取得装置から解除要求を受信した際に、無効制御を解除することを特徴とするものである。
【００３６】
また、本発明にかかる緊急情報通知方法において、移動体通信端末装置は、無効制御の解除を容認するための認証情報を格納管理する格納部を有し、緊急情報取得装置は、解除要求と、認証情報と、を移動体通信端末装置に送信し、移動体通信端末装置は、緊急情報受付装置から解除要求と、認証情報と、を受信した際に、格納部を参照し、認証情報が格納部に格納管理されていると判断した際に、無効制御を解除することを特徴とするものである。
【００３７】
また、本発明にかかる緊急情報通知方法において、緊急情報受付装置は、移動体通信端末装置から受け付けた端末装置識別情報が、第１の格納部に格納管理されているか否かを判断し、移動体通信端末装置から受け付けた端末装置識別情報が、第１の格納部に格納管理されていると判断した際に、端末装置識別情報と関連づけて第１の格納部に格納管理されている取得装置識別情報を取得し、該取得した取得装置識別情報の緊急情報取得装置に対し、移動体通信端末装置から受け付けた緊急情報と、端末装置識別情報と、を送信することを特徴とするものである。
【００３８】
また、本発明にかかる緊急情報通知方法において、緊急情報受付装置は、移動体通信端末装置から受け付けた端末装置識別情報が、第１の格納部に格納管理されていると判断した端末装置識別情報を、第２の格納部に格納管理する工程を行うことを特徴とするものである。
【発明の効果】
【００３９】
本発明によれば、緊急情報受付装置は、移動体通信端末装置を識別するための端末装置識別情報と、緊急情報取得装置を識別するための取得装置識別情報と、を関連づけて格納管理する第１の管理テーブルと、移動体通信端末装置から受け付けた端末装置識別情報を格納管理する第２の管理テーブルと、を有し、緊急情報受付装置は、移動体通信端末装置から通知される緊急情報と、端末装置識別情報と、を受け付け、該受け付けた端末装置識別情報を基に、第１の管理テーブルを参照し、端末装置識別情報と関連づけて第１の管理テーブルに格納管理されている取得装置識別情報を取得し、該取得した取得装置識別情報の緊急情報取得装置に対し、移動体通信端末装置から受け付けた緊急情報と、端末装置識別情報と、を送信する。そして、緊急情報受付装置は、移動体通信端末装置を遠隔操作するための遠隔操作要求と、端末装置識別情報と、取得装置識別情報と、を緊急情報取得装置から受信し、該受信した端末装置識別情報を基に、第２の管理テーブルを参照し、緊急情報取得装置から受信した端末装置識別情報が、第２の管理テーブルに格納管理されていると判断した際に、緊急情報取得装置から受信した端末装置識別情報と、取得装置識別情報と、を基に、端末装置識別情報の移動体通信端末装置と、取得装置識別情報の緊急情報取得装置と、の間の通信を確立させる。これにより、移動体通信端末装置と、緊急情報取得装置と、の間で種々の情報を送受信することが可能となり、緊急情報取得装置は、緊急事態が発生した際の音声情報と、映像情報と、の少なくとも１つの情報を、遠隔操作により移動体通信端末装置から取得することが可能となる。
【発明を実施するための最良の形態】
【００４０】
まず、図１を参照しながら、本実施形態における緊急情報通知システムの特徴について説明する。
【００４１】
本実施形態における緊急情報通知システムは、緊急事態が発生した旨を示す緊急情報を通知する移動体通信端末装置（１〜Ｎ：Ｎは、任意の整数）と、移動体通信端末装置（１〜Ｎ）から通知される緊急情報を受け付ける緊急情報受付装置（１００）と、緊急情報受付装置（１００）が受け付けた緊急情報を取得する緊急情報取得装置（２００−１〜Ｎ：Ｎは、任意の整数）と、を有して構成される緊急情報通知システムである。
【００４２】
この図１に示す緊急情報通信システムにおいて、緊急情報受付装置（１００）は、移動体通信端末装置（１〜Ｎ）を識別するための端末装置識別情報と、緊急情報取得装置（２００−１〜Ｎ）を識別するための取得装置識別情報と、を関連づけて緊急情報管理装置（１００）の具備する第１の管理テーブル（１０１）に格納管理している。そして、移動体通信端末装置（１〜Ｎ）は、緊急事態が発生した際に、緊急情報と、端末装置識別情報と、を緊急情報受付装置（１００）に通知する。緊急情報受付装置（１００）は、移動体通信端末装置（１〜Ｎ）から緊急情報と、端末装置識別情報と、を受け付けた際に、第１の管理テーブル（１０１）を参照し、移動体通信端末装置（１〜Ｎ）から受信した端末装置識別情報と関連づけて第１の管理テーブル（１０１）に格納管理されている取得装置識別情報を取得し、該取得した取得装置識別情報の緊急情報取得装置（２００−１〜Ｎ）に対し、移動体通信端末装置（１〜Ｎ）から受け付けた緊急情報と、端末装置識別情報と、を送信する。また、緊急情報受付装置（１００）は、移動体通信端末装置（１〜Ｎ）から受け付けた端末装置識別情報を、緊急情報受付装置（１００）の具備する第２の管理テーブル（１０２）に格納管理する。緊急情報取得装置（２００−１〜Ｎ）は、緊急情報受付装置（１００）から緊急情報と、端末装置識別情報と、を受信した際に、移動体通信端末装置（１〜Ｎ）を遠隔操作するための遠隔操作要求と、端末装置識別情報と、取得装置識別情報と、を緊急情報受付装置（１００）に送信する。緊急情報受付装置（１００）は、緊急情報取得装置（２００−１〜Ｎ）から遠隔操作要求と、端末装置識別情報と、取得装置識別情報と、を受信した際に、第２の管理テーブル（１０２）を参照し、緊急情報取得装置（２００−１〜Ｎ）から受信した端末装置識別情報が、第２の管理テーブル（１０２）に格納管理されていると判断した際に、緊急情報取得装置（２００−１〜Ｎ）から受信した端末装置識別情報と、取得装置識別情報と、を基に、その端末装置識別情報の移動体通信端末装置（１〜Ｎ）と、取得装置識別情報の緊急情報取得装置（２００−１〜Ｎ）と、の間の通信を確立させる。そして、移動体通信端末装置（１〜Ｎ）との通信を確立した緊急情報取得装置（２００−１〜Ｎ）は、移動体通信端末装置（１〜Ｎ）を遠隔操作し、緊急事態が発生した際の音声情報と、映像情報と、の少なくとも１つの情報を、移動体通信端末装置（１〜Ｎ）から取得する。これにより、緊急情報取得装置（２００−１〜Ｎ）は、緊急事態が発生した際の音声情報と、映像情報と、の少なくとも１つの情報を、遠隔操作により移動体通信端末装置（１〜Ｎ）から取得することが可能となる。以下、添付図面を参照しながら、本実施形態における緊急情報通知システムについて説明する。
【００４３】
（第１の実施形態）
まず、図１を参照しながら、本実施形態における緊急情報通知システムのシステム構成について説明する。
【００４４】
本実施形態における緊急情報通知システムは、緊急事態が発生した旨を示す緊急情報を通知する移動体通信端末装置（１〜Ｎ：Ｎは、任意の整数）と、移動体通信端末装置（１〜Ｎ）から通知される緊急情報を受け付ける緊急情報受付装置（１００）と、緊急情報受付装置（１００）が受け付けた緊急情報を取得する緊急情報取得装置（２００−１〜Ｎ：Ｎは、任意の整数）と、が、ネットワーク（３００）を介して接続して構成される。なお、ネットワーク（３００）は、移動体通信端末装置（１〜Ｎ）と、緊急情報受付装置（１００）と、緊急情報取得装置（２００−１〜Ｎ）と、の間で情報の授受ができれば、特に限定するものではなく、有線、無線を問わずあらゆる形態の情報通信形態を適用することは可能である。
【００４５】
＜移動体通信端末装置１〜Ｎ＞
移動体通信端末装置（１〜Ｎ）は、緊急事態が発生した際に、移動体通信端末装置（１〜Ｎ）の具備する所定のボタンを押下等することで、緊急事態が発生した旨を示す緊急情報を外部の装置に対して通知する端末装置である。なお、移動体通信端末装置（１〜Ｎ）としては、ＰＨＳ、携帯電話機、ＰＤＡ、ノートＰＣ等の利用者が携帯可能な端末装置が適用可能である。
【００４６】
移動体通信端末装置（１〜Ｎ）は、図２に示すように、アンテナ部（１−１）と、送受信部（１−２）と、制御部（１−３）と、格納部（１−４）と、操作部（１−５）と、位置情報取得部（１−６）と、音声情報取得部（１−７）と、画像情報取得部（１−８）と、表示部（１−９）と、音声情報発生部（１−１０）と、を有して構成される。
【００４７】
アンテナ部（１−１）、送受信部（１−２）は、各種情報を送受信するものである。制御部（１−３）は、移動体通信端末装置（１〜Ｎ）における各種制御を行うものである。
【００４８】
格納部（１−４）は、移動体通信端末装置（１〜Ｎ）を識別するための端末装置識別情報と、緊急情報受付装置（１００）を識別するための受付装置識別情報と、緊急情報取得装置（２００−１〜Ｎ）を識別するための取得装置識別情報と、を格納するものであり、この格納部（１−４）に格納された情報を基に、緊急情報を通知することになる。
【００４９】
操作部（１−５）は、移動体通信端末装置（１〜Ｎ）における各種処理を実行させるための操作を行うものである。
【００５０】
位置情報取得部（１−６）は、移動体通信端末装置（１〜Ｎ）の位置する位置情報を取得するものである。なお、位置情報の取得方法は、特に限定するものではなく、移動体通信端末装置（１〜Ｎ）自身の位置する位置情報が取得できれば、あらゆる方法を用いて位置情報を取得することは可能である。なお、位置情報の取得方法としては、例えば、ＧＰＳ機能を用いてＧＰＳ衛生（図示せず）からの電波を受信し、移動体通信端末装置（１〜Ｎ）の位置情報を取得したり、図１に示す基地局（１０１−１〜Ｎ）と、移動体通信端末装置（１〜Ｎ）と、の間で帰属処理を行い、基地局（１０１−１〜Ｎ）からその基地局（１０１−１〜Ｎ）を識別するための基地局識別情報を間欠受信し、その受信した基地局識別情報を移動体通信端末装置（１〜Ｎ）の具備する格納部（１−４）に格納することで、移動体通信端末装置（１〜Ｎ）の位置情報を取得したりする方法が挙げられる。
【００５１】
音声情報取得部（１−７）は、緊急事態が発生した際の外部環境の音声情報を取得するものである。画像情報取得部（１−８）は、緊急事態が発生した際の外部環境の画像情報を取得するものである。
【００５２】
表示部（１−９）は、各種情報を表示するものである。音声情報発生部（１−１０）は、緊急事態が発生した際に、ブザー音等の鳴動情報を発生するものである。
【００５３】
なお、図２に示す移動体通信端末装置（１〜Ｎ）を用いて緊急情報を通知するには、操作部（１−５）から所定の操作が行なわれたと制御部（１−３）が認識した際に、制御部（１−３）は、格納部（１−４）に格納された受付装置識別情報を基に、緊急事態が発生した旨を示す緊急情報を、送受信部（１−２）、アンテナ部（１−１）を介して、緊急情報受付装置（１００）に通知することになる。なお、制御部（１−３）は、緊急情報を緊急情報受付装置（１００）に通知する際に、位置情報取得部（１−６）に、移動体通信端末装置（１−Ｎ）の位置する位置情報を取得させ、その位置情報取得部（１−６）により取得させた位置情報を含む緊急情報を緊急情報受付装置（１００）に通知するようにすることも可能である。また、操作部（１−５）から所定の操作が行なわれたと制御部（１−３）が認識した際に、音声情報発生部（１−１０）からブザー等の鳴動情報を発生させるようにすることも可能である。
【００５４】
＜緊急情報受付装置１００＞
緊急情報受付装置（１００）は、移動体通信端末装置（１〜Ｎ）から通知される緊急情報を受け付ける情報処理装置である。なお、緊急情報受付装置（１００）は、本実施形態における緊急情報通知システムを提供するキャリア側が所有することになる。また、緊急情報受付装置（１００）は、移動体体通信端末装置（１〜Ｎ）から通知される緊急情報を、緊急情報取得装置（２００−１〜Ｎ）に対して送信する際に使用する第１の管理テーブル（１０１）を有して構成される。
【００５５】
第１の管理テーブル（１０１）は、図３に示すように、移動体通信端末装置（１〜Ｎ）を識別するための『端末装置識別情報』と、緊急情報取得装置（２００−１〜Ｎ）を識別するための『取得装置識別情報』と、を関連づけて格納管理する。
【００５６】
緊急情報受付装置（１００）は、移動体通信端末装置（１〜Ｎ）から緊急情報と、端末装置識別情報と、を受信した際に、この図３に示す第１の管理テーブル（１０１）を参照し、移動体通信端末装置（１〜Ｎ）から受信した端末装置識別情報が第１の管理テーブル（１０１）に格納管理されているか否か判断し、移動体通信端末装置（１〜Ｎ）から受信した端末装置識別情報が第１の管理テーブル（１０１）に格納管理されていると判断した場合は、緊急情報受付装置（１００）は、移動体通信端末装置（１〜Ｎ）から受信した端末装置識別情報に関連づけて第１の管理テーブル（１０１）に格納管理されている取得装置識別情報を取得し、該取得した取得装置識別情報の緊急情報取得装置（２００−１〜Ｎ）に対し、緊急情報と、端末装置識別情報と、を送信することになる。これにより、緊急情報受付装置（１００）は、第１の管理テーブル（１０１）にて格納管理されている取得装置識別情報の緊急情報取得装置（２００−１〜Ｎ）に対し、緊急情報を送信することが可能となる。
【００５７】
また、緊急情報受付装置（１００）は、緊急情報を受け付けた移動体通信端末装置（１〜Ｎ）を識別するための端末装置識別情報を管理するための第２の管理テーブル（１０２）を有して構成される。
【００５８】
第２の管理テーブル（１０２）は、図４に示すように、移動体通信端末装置（１〜Ｎ）から受信した『端末装置識別情報』と、その『端末装置識別情報』に関連づけて第１の管理テーブル（１０１）に格納管理されている『取得装置識別情報』と、を関連づけて格納管理する。
【００５９】
＜緊急情報取得装置２００−１〜Ｎ＞
緊急情報取得装置（２００−１〜Ｎ）は、緊急情報受付装置（１００）から緊急情報を取得する情報処理装置である。なお、緊急情報取得装置（２００−１〜Ｎ）は、警備会社や、ＡＳＰ（Application Service Provider）等が所有することになる。また、緊急情報取得装置（２００−１〜Ｎ）は、図５に示す管理テーブル（２０１）を有し、緊急情報を取得する移動体通信端末装置（１〜Ｎ）を管理することになる。
【００６０】
管理テーブル（２０１）は、図５に示すように、移動体通信端末装置（１〜Ｎ）を識別するための『端末装置識別情報』と、その移動体通信端末装置（１〜Ｎ）を使用する使用者の『氏名』と、その使用者の『住所』と、緊急事態が発生した旨を通知する『緊急連絡先』と、の項目が格納管理されている。なお、この図５に示す管理テーブル（２０１）は、緊急情報取得装置（２００−１〜Ｎ）の管理者が作成し、必要に応じて管理者の手作業で更新することになる。なお、移動体通信端末装置（１〜Ｎ）の端末装置識別情報を、管理テーブル（２０１）に登録する際の方法は特に限定するものではなく、手入力により登録したり、移動体通信端末装置（１〜Ｎ）から近距離無線通信（赤外線通信、非接触通信、可視光通信等）等により登録したりすることになる。
【００６１】
なお、緊急情報取得装置（２００−１〜Ｎ）は、図５に示す管理テーブル（２０１）を作成した際に、その管理テーブル（２０１）に格納管理される端末装置識別情報と、緊急情報取得装置（２００−１〜Ｎ）を識別する取得装置識別情報と、を緊急情報受付装置（１００）に対して登録する。これにより、緊急情報受付装置（１００）は、緊急情報取得装置（２００−１〜Ｎ）から登録された情報を基に、図３に示す第１の管理テーブル（１０１）を作成し、該作成した第１の管理テーブル（１０１）を管理することになる。
【００６２】
＜緊急情報通知システムにおける処理動作＞
次に、図６を参照しながら、本実施形態の緊急情報通知システムにおける処理動作について説明する。なお、以下の処理動作は、緊急情報受付装置（１００）が、図３に示す第１の管理テーブル（１０１）を格納管理し、緊急情報取得装置（２００−１〜Ｎ）が、図５に示す管理テーブル（２０１）を格納管理していることを前提とする。
【００６３】
まず、利用者の環境下において、緊急事態が発生した際に、利用者は、移動体通信端末装置（１〜Ｎ）の具備する操作部（１−５）を用いて所定の操作を行い、緊急事態が発生した旨を示す緊急情報と、その移動体通信端末装置（１〜Ｎ）を識別するための端末装置識別情報と、を緊急情報受付装置（１００）に対して通知する（ステップＡ１）。
【００６４】
緊急情報受付装置（１００）は、移動体通信端末装置（１〜Ｎ）から、緊急情報と、端末装置識別情報と、を受信した際に、その受信した端末装置識別情報を基に、緊急情報受付装置（１００）の具備する第１の管理テーブル（１０１）を参照し、移動体通信端末装置（１〜Ｎ）から受信した端末装置識別情報が、第１の管理テーブル（１０１）に格納管理されているか否かを判断する（ステップＡ２）。
【００６５】
そして、緊急情報受付装置（１００）は、移動体通信端末装置（１〜Ｎ）から受信した端末装置識別情報が、第１の管理テーブル（１０１）に格納管理されていると判断した場合に、その端末装置識別情報に関連づけられて第１の管理テーブル（１０１）に格納管理されている取得装置識別情報を取得する。そして、緊急情報受付装置（１００）は、第１の管理テーブル（１０１）から取得した取得装置識別情報を基に、その取得装置識別情報の緊急情報取得装置（２００−１〜Ｎ）に対し、移動体通信端末装置（１〜Ｎ）から受信した緊急情報と、端末装置識別情報と、を送信する（ステップＡ３）。
【００６６】
また、緊急情報受付装置（１００）は、第１の管理テーブル（１０１）に格納管理されていると判断した端末装置識別情報と、その端末装置識別情報に関連づけて第１の管理テーブル（１０１）に格納管理されている取得装置識別情報と、を、緊急情報受付装置（１００）の具備する第２の管理テーブル（１０２）に格納し、緊急事態が発生した移動体通信端末装置（１〜Ｎ）の端末装置識別情報を管理する（ステップＡ４）。これにより、緊急情報受付装置（１００）は、緊急情報を通知した移動体通信端末装置（１〜Ｎ）に関する情報のみを格納した図４に示す第２の管理テーブル（１０２）を、緊急情報受付装置（１００）が格納管理することになる。
【００６７】
なお、緊急情報取得装置（２００−１〜Ｎ）は、緊急情報受付装置（１００）から緊急情報と、端末装置識別情報と、を受信した際に、その受信した端末装置識別情報を基に、緊急情報取得装置（２００−１〜Ｎ）の具備する管理テーブル（２０１）を参照し、緊急情報受付装置（１００）から受信した端末装置識別情報が、管理テーブル（２０１）に格納管理されているか否かを判断する。そして、緊急情報取得装置（２００−１〜Ｎ）は、緊急情報受付装置（１００）から受信した端末装置識別情報が、管理テーブル（２０１）に格納管理されていると判断した場合に、その端末装置識別情報に関連付けられて管理テーブル（２０１）に格納管理されている図５に示す『氏名』、『住所』、『緊急連絡先』などの情報を取得し、該取得した情報と、緊急情報受付装置（１００）から受信した緊急情報と、を基に、緊急事態が発生した旨を示す図７に示すような画面を作成し、緊急情報取得装置（２００−１〜Ｎ）の具備する表示部上に表示する（ステップＡ５）。これにより、緊急情報取得装置（２００−１〜Ｎ）は、管理テーブル（２０１）に格納管理されている『端末装置識別情報』の移動体通信端末装置（１〜Ｎ）の使用者の身の回りで緊急事態が発生した旨を表示部上に表示することになる。なお、図７に示す『緊急事態発生エリア周辺の地図』は、緊急情報に含まれる位置情報を基に、作成することになる。
【００６８】
なお、緊急情報取得装置（２００−１〜Ｎ）は、緊急事態が発生した旨を表示部上に表示する際に、ブザー音などの鳴動情報を報知することも可能である。また、緊急情報取得装置（２００−１〜Ｎ）は、管理テーブル（２０１）にて管理する『緊急連絡先』に、緊急連絡先となる通信装置の電話番号やメールアドレス等を関連付けて格納管理している場合には、その電話番号やメールアドレス等を基に、緊急事態が発生した旨を、緊急連絡先の通信装置に対して通知することも可能である。
【００６９】
次に、緊急情報取得装置（２００−１〜Ｎ）は、その緊急事態が発生した移動体通信端末装置（１〜Ｎ）を遠隔操作するための遠隔操作要求と、その遠隔操作を行う移動体通信端末装置（１〜Ｎ）を識別するための端末装置識別情報と、緊急情報取得装置（２００−１〜Ｎ）を識別するための取得装置識別情報と、を、緊急情報受付装置（１００）に送信する（ステップＡ６）。
【００７０】
緊急情報受付装置（１００）は、緊急情報取得装置（２００−１〜Ｎ）から、遠隔操作要求と、端末装置識別情報と、取得装置識別情報と、を受信した際に、その受信した端末装置識別情報を基に、第２の管理テーブル（１０２）を参照し、緊急情報取得装置（２００−１〜Ｎ）から受信した端末装置識別情報が、第２の管理テーブル（１０２）に格納管理されているか否かを判断する（ステップＡ７）。
【００７１】
そして、緊急情報受付装置（１００）は、緊急情報取得装置（２００−１〜Ｎ）から受信した端末装置識別情報が、第２の管理テーブル（１０２）に格納管理されていると判断した場合に、緊急情報取得装置（２００−１〜Ｎ）から受信した端末装置識別情報と、取得装置識別情報と、を基に、端末装置識別情報の移動体通信端末装置（１〜Ｎ）と、取得装置識別情報の緊急情報取得装置（２００−１〜Ｎ）と、の間の通信を確立させることになる（ステップＡ８）。これにより、移動体通信端末装置（１〜Ｎ）と、緊急情報取得装置（２００−１〜Ｎ）と、の間で種々の情報を送受信することが可能となる。
【００７２】
そして、緊急情報取得装置（２００−１〜Ｎ）は、移動体通信端末装置（１〜Ｎ）を遠隔操作し、緊急事態が発生した際の音声情報と、映像情報と、の少なくとも１つの情報を取得するための情報取得要求を、移動体通信端末装置（１〜Ｎ）に送信する（ステップＡ９）。
【００７３】
移動体通信端末装置（１〜Ｎ）は、緊急情報取得装置（２００−１〜Ｎ）から情報取得要求を受信した際に、その情報取得要求に応じた情報を、移動体通信端末装置（１〜Ｎ）において取得し、該取得した情報を、緊急取得装置（２００−１〜Ｎ）に対して送信する（ステップＡ１０）。これにより、緊急情報取得装置（２００−１〜Ｎ）は、緊急事態が発生した際の音声情報と、映像情報と、の少なくとも１つの情報を、通信移動体通信端末装置（１〜Ｎ）から取得することが可能となる。
【００７４】
このように、本実施形態における緊急情報通知システムは、緊急情報受付装置（１００）が、移動体通信端末装置（１〜Ｎ）を識別するための端末装置識別情報と、緊急情報取得装置（２００−１〜Ｎ）を識別するための取得装置識別情報と、を関連づけて管理する第１の管理テーブル（１０１）を有し、緊急情報受付装置（１００）が、緊急情報と端末装置識別情報との情報を移動体通信端末装置（１〜Ｎ）から受け付けた際に、第１の管理テーブル（１０１）を参照し、移動体通信端末装置（１〜Ｎ）から受け付けた端末装置識別情報と関連付けられて第１の管理テーブル（１０１）に格納管理されている取得装置識別情報を取得し、その取得した取得装置識別情報の緊急情報取得装置（２００−１〜Ｎ）に対し、移動体通信端末装置（１〜Ｎ）から受け付けた緊急情報と端末装置識別情報との情報を送信する。そして、緊急情報受付装置（１００）は、移動体通信端末装置（１〜Ｎ）から受け付けた端末装置識別情報と、その端末装置識別情報を基に第１の管理テーブル（１０１）から取得した取得装置識別情報と、を緊急情報受付装置（１００）の具備する第２の管理テーブル（１０２）にて格納管理する。そして、緊急情報取得装置（２００−１〜Ｎ）は、緊急情報受付装置（１００）から緊急情報と端末装置識別情報との情報を受信した際に、その受信した端末装置識別情報を基に、管理テーブル（２０１）を参照し、緊急情報受付装置（１００）から受信した端末装置識別情報が、管理テーブル（２０１）内に格納管理されているか否かを判断し、緊急情報受付装置（１００）から受信した端末装置識別情報が、管理テーブル（２０１）内に格納管理されていると判断した際に、その緊急情報取得装置（２００−１〜Ｎ）の具備する管理テーブル（２０１）にて格納管理している移動体通信端末装置（１〜Ｎ）において緊急事態が発生した旨を外部に報知することになる。そして、緊急情報取得装置（２００−１〜Ｎ）は、その緊急事態が発生した移動体通信端末装置（１〜Ｎ）を遠隔操作するための遠隔操作要求と、端末装置識別情報と、取得装置識別情報と、を緊急情報受付装置（１００）に送信し、緊急情報受付装置（１００）は、緊急情報取得装置（２００−１〜Ｎ）から遠隔操作要求と、端末装置識別情報と、取得装置識別情報と、の情報を受信した際に、第２の管理テーブル（１０２）を参照し、緊急情報取得装置（２００−１〜Ｎ）から受信した端末装置識別情報が、第２の管理テーブル（１０２）に格納管理されているか否かを判断し、緊急情報取得装置（２００−１〜Ｎ）から受信した端末装置識別情報が、第２の管理テーブル（１０２）に格納管理されていると判断した際に、その緊急情報取得装置（２００−１〜Ｎ）から受信した端末装置識別情報と、取得装置識別情報と、の情報を基に、その端末装置識別情報の移動体通信端末装置（１〜Ｎ）と、取得装置識別情報の緊急情報取得装置（２００−１〜Ｎ）と、の間の通信を確立させることになる。そして、移動体通信端末装置（１〜Ｎ）との通信を確立した緊急情報取得装置（２００−１〜Ｎ）が、その移動体通信端末装置（１〜Ｎ）を遠隔操作し、緊急事態が発生した際の音声情報と、映像情報と、の少なくとも１つの情報を、移動体通信端末装置（１〜Ｎ）から取得することになる。
【００７５】
これにより、緊急事態が発生した旨を示す緊急情報を通知する移動体通信端末装置（１〜Ｎ）と、移動体通信端末装置（１〜Ｎ）から通知される緊急情報を受け付ける緊急情報受付装置（１００）と、緊急情報受付装置（１００）が受け付けた緊急情報を取得する緊急情報取得装置（２００−１〜）と、を有して構成される図１に示す緊急情報通知システムにおいて、緊急情報取得装置（２００−１〜Ｎ）が、緊急事態が発生した際の音声情報と、映像情報と、の少なくとも１つの情報を、遠隔操作により移動体通信端末装置（１〜Ｎ）から取得することが可能となる。
【００７６】
（第２の実施形態）
次に、第２の実施形態について説明する。
【００７７】
第１の実施形態における緊急情報通知システムは、緊急情報受付装置（１００）が、緊急情報取得装置（２００−１〜Ｎ）から遠隔操作要求と、端末装置識別情報と、取得装置識別情報と、の情報を受信した際に、ステップＡ７において、緊急情報受付装置（１００）が、第２の管理テーブル（１０２）を参照し、緊急情報取得装置（２００−１〜Ｎ）から受信した端末装置識別情報が、第２の管理テーブル（１０２）に格納管理されていると判断した際に、ステップＡ８において、緊急情報受付装置（１００）が、その緊急情報取得装置（２００−１〜Ｎ）から受信した端末装置識別情報と取得装置識別情報との情報を基に、その端末装置識別情報の移動体通信端末装置（１〜Ｎ）と、取得装置識別情報の緊急情報取得装置（２００−１〜Ｎ）と、の間の通信を確立させることとしたが、第２の実施形態における緊急情報通知システムは、緊急情報受付装置（１００）が、緊急情報取得装置（２００−１〜Ｎ）から遠隔操作要求と、端末装置識別情報と、取得装置識別情報と、の情報を受信した際に、緊急情報受付装置（１００）が、第２の管理テーブル（１０２）を参照し、緊急情報取得装置（２００−１〜Ｎ）から受信した端末装置識別情報が、第２の管理テーブル（１０２）に格納管理されていると判断した際に、緊急情報受付装置（１００）が、その端末装置識別情報の移動体通信端末装置（１〜Ｎ）に対し、緊急情報取得装置（２００−１〜Ｎ）から受信した遠隔操作要求と取得装置識別情報との情報を送信し、移動体通信端末装置（１〜Ｎ）が、遠隔操作要求と取得装置識別情報との情報を受信した際に、その受信した取得装置識別情報の緊急情報取得装置（２００−１〜Ｎ）との通信を確立することで、移動体通信端末装置（１〜Ｎ）と、緊急情報取得装置（２００−１〜Ｎ）と、の間の通信を確立させることを特徴とするものである。これにより、第１の実施形態の緊急情報通知システムと同様に、緊急情報取得装置（２００−１〜Ｎ）が、緊急事態が発生した際の音声情報と、映像情報と、の少なくとも１つの情報を、遠隔操作により移動体通信端末装置（１〜Ｎ）から取得することが可能となる。以下、図８を参照しながら、第２の実施形態における緊急情報通知システムについて説明する。
【００７８】
まず、第２の実施形態における緊急情報通知システムは、ステップＢ６までの処理は、第１の実施形態における緊急情報通知システムのステップＡ６までの処理動作と同様に行う。
【００７９】
そして、緊急情報受付装置（１００）は、緊急情報取得装置（２００−１〜Ｎ）から遠隔操作要求と、端末装置識別情報と、取得装置識別情報と、の情報を受信した際に、第２の管理テーブル（１０２）を参照し（ステップＢ７）、緊急情報取得装置（２００−１〜Ｎ）から受信した端末装置識別情報が、第２の管理テーブル（１０２）に格納管理されていると判断した際に、緊急情報受付装置（１００）が、その端末装置識別情報の移動体通信端末装置（１〜Ｎ）に対し、緊急情報取得装置（２００−１〜Ｎ）から受信した遠隔操作要求と取得装置識別情報との情報を送信する（ステップＢ８）。
【００８０】
移動体通信端末装置（１〜Ｎ）は、遠隔操作要求と取得装置識別情報との情報を、緊急情報受付装置（１００）から受信した際に、その受信した取得装置識別情報を基に、取得装置識別情報の緊急情報取得装置（２００−１〜Ｎ）との通信を確立する（ステップＢ９）。これにより、移動体通信端末装置（１〜Ｎ）と、緊急情報取得装置（２００−１〜Ｎ）と、の間で種々の情報を送受信することが可能となる。
【００８１】
そして、緊急情報取得装置（２００−１〜Ｎ）は、移動体通信端末装置（１〜Ｎ）との通信が確立されたと判断した際に、移動体通信端末装置（１〜Ｎ）を遠隔操作し、緊急事態が発生した際の音声情報と、映像情報と、の少なくとも１つの情報を取得するための情報取得要求を移動体通信端末装置（１〜Ｎ）に送信する（ステップＢ１０）。移動体通信端末装置（１〜Ｎ）は、緊急情報取得装置（２００−１〜Ｎ）から情報取得要求を受信した際に、その情報取得要求に応じた情報を、移動体通信端末装置（１〜Ｎ）において取得し、該取得した情報を、緊急取得装置（２００−１〜Ｎ）に対して送信する（ステップＢ１１）。これにより、第１の実施形態における緊急情報通知システムと同様に、緊急情報取得装置（２００−１〜Ｎ）は、緊急事態が発生した際の音声情報と、映像情報と、の少なくとも１つの情報を、通信移動体通信端末装置（１〜Ｎ）から取得することが可能となる。
【００８２】
（第３の実施形態）
次に、第３の実施形態について説明する。
【００８３】
第３の実施形態における緊急情報通知システムは、緊急情報受付装置（１００）が、緊急情報取得装置（２００−１〜Ｎ）から遠隔操作要求と、端末装置識別情報と、取得装置識別情報と、の情報を受信した際に、緊急情報受付装置（１００）が、第２の管理テーブル（１０２）を参照し、緊急情報取得装置（２００−１〜Ｎ）から受信した端末装置識別情報が、第２の管理テーブル（１０２）に格納管理されていると判断した際に、緊急情報受付装置（１００）が、遠隔操作を認容する旨の認容情報と、その遠隔操作を認容する移動体通信端末装置（１〜Ｎ）の端末装置識別情報と、を緊急情報取得装置（２００−１〜Ｎ）に送信し、緊急情報取得装置（２００−１〜Ｎ）が、認容情報と、端末装置識別情報と、を受信した際に、その受信した端末装置識別情報の移動体通信端末装置（１〜Ｎ）との通信を確立することで、移動体通信端末装置（１〜Ｎ）と、緊急情報取得装置（２００−１〜Ｎ）と、の間の通信を確立させることを特徴とするものである。これにより、第１の実施形態の緊急情報通知システムと同様に、緊急情報取得装置（２００−１〜Ｎ）が、緊急事態が発生した際の音声情報と、映像情報と、の少なくとも１つの情報を、遠隔操作により移動体通信端末装置（１〜Ｎ）から取得することが可能となる。以下、図９を参照しながら、第３の実施形態における緊急情報通知システムについて説明する。
【００８４】
まず、第３の実施形態における緊急情報通知システムは、ステップＣ６までの処理は、第１の実施形態における緊急情報通知システムのステップＡ６までの処理動作と同様に行う。
【００８５】
そして、緊急情報受付装置（１００）は、緊急情報取得装置（２００−１〜Ｎ）から遠隔操作要求と、端末装置識別情報と、取得装置識別情報と、の情報を受信した際に、第２の管理テーブル（１０２）を参照し（ステップＣ７）、緊急情報取得装置（２００−１〜Ｎ）から受信した端末装置識別情報が、第２の管理テーブル（１０２）に格納管理されていると判断した際に、緊急情報受付装置（１００）が、遠隔操作を認容する旨の認容情報と、その遠隔操作を認容する移動体通信端末装置（１〜Ｎ）の端末装置識別情報と、の情報を緊急情報取得装置（２００−１〜Ｎ）に送信する（ステップＣ８）。
【００８６】
緊急情報取得装置（２００−１〜Ｎ）は、認容情報と端末装置識別情報との情報を、緊急情報受付装置（１００）から受信した際に、その受信した端末装置識別情報を基に、端末装置識別情報の移動体通信端末装置（１〜Ｎ）との通信を確立する（ステップＣ９）。これにより、移動体通信端末装置（１〜Ｎ）と、緊急情報取得装置（２００−１〜Ｎ）と、の間で種々の情報を送受信することが可能となる。
【００８７】
そして、緊急情報取得装置（２００−１〜Ｎ）は、移動体通信端末装置（１〜Ｎ）との通信が確立されたと判断した際に、移動体通信端末装置（１〜Ｎ）を遠隔操作し、緊急事態が発生した際の音声情報と、映像情報と、の少なくとも１つの情報を取得するための情報取得要求を移動体通信端末装置（１〜Ｎ）に送信する（ステップＣ１０）。移動体通信端末装置（１〜Ｎ）は、緊急情報取得装置（２００−１〜Ｎ）から情報取得要求を受信した際に、その情報取得要求に応じた情報を、移動体通信端末装置（１〜Ｎ）において取得し、該取得した情報を、緊急取得装置（２００−１〜Ｎ）に対して送信する（ステップＣ１１）。これにより、第１の実施形態における緊急情報通知システムと同様に、緊急情報取得装置（２００−１〜Ｎ）は、緊急事態が発生した際の音声情報と、映像情報と、の少なくとも１つの情報を、通信移動体通信端末装置（１〜Ｎ）から取得することが可能となる。
【００８８】
（第４の実施形態）
次に、第４の実施形態について説明する。
【００８９】
第４の実施形態における緊急状態通知システムは、緊急事態が発生した際に、移動体通信端末装置（１〜Ｎ）が、緊急情報と端末装置識別情報との情報を、緊急情報受付装置（１００）に対して通知した際に、移動体通信端末装置（１〜Ｎ）が、移動体通信端末装置（１〜Ｎ）の具備する操作部（１−５）からの任意の操作要求を全て無効状態にさせることを特徴とする。これにより、緊急事態が発生した際に、移動体通信端末装置（１〜Ｎ）の利用者以外の第３者による移動体通信端末装置（１〜Ｎ）の不正使用を防止し、移動体通信端末装置（１〜Ｎ）の遠隔操作を、緊急情報取得装置（２００−１〜Ｎ）から確実に行うことが可能となる。以下、図１０を参照しながら、第４の実施形態における緊急情報通知システムについて説明する。なお、以下に説明する図１０に示す第４の実施形態における緊急情報通知システムにおける処理動作は、緊急情報取得装置（２００−１〜Ｎ）が、図１１に示す管理テーブル（２０１）を格納管理していることを前提とする。図１１に示す管理テーブル（２０１）の構成は、図５に示す管理テーブル（２０１）の構成に対し、移動体通信端末装置（１〜Ｎ）における無効状態を解除するための『認証情報』を付加させたものである。また、移動体通信端末装置（１〜Ｎ）は、移動体通信端末装置（１〜Ｎ）の具備する格納部（１−４）に、認証情報を格納管理しているものとする。
【００９０】
第４の実施形態における緊急情報通知システムは、まず、利用者の環境下において、緊急事態が発生した際に、利用者は、移動体通信端末装置（１〜Ｎ）の具備する操作部（１−５）を用いて所定の操作を行い、緊急事態が発生した旨を示す緊急情報と、その移動体通信端末装置（１〜Ｎ）を識別するための端末装置識別情報と、を緊急情報受付装置（１００）に対して通知する（ステップＤ１）。
【００９１】
そして、移動体通信端末装置（１〜Ｎ）は、緊急情報と端末装置識別情報との情報が、緊急情報受付装置（１００）に通知されたと判断した際に、移動体通信端末装置（１〜Ｎ）の具備する操作部（１−５）からの任意の操作要求を全て無効状態にさせるための操作無効制御を行う（ステップＤ２）。これにより、移動体通信端末装置（１〜Ｎ）は、緊急事態が発生した際に、移動体通信端末装置（１〜Ｎ）の利用者以外の第３者による移動体通信端末装置（１〜Ｎ）の不正使用を防止することが可能となる。なお、ステップＤ２における操作無効制御は、移動体通信端末装置（１〜Ｎ）の具備する操作部（１−５）から行われた操作要求のみを無効とし、移動体通信端末装置（１〜Ｎ）の内部制御は通常の制御を行うようにする。これにより、移動体通信端末装置（１〜Ｎ）は、外部の通信機器からの情報を受信し、該受信した情報を基に、制御処理を行うことが可能となる。
【００９２】
そして、ステップＤ３〜ステップＤ１１までの処理は、第１の実施形態における緊急情報通知システムにおけるステップＡ２〜ステップＡ１０までの処理動作と同様に行う。これにより、第１の実施形態の緊急情報通知システムと同様に、緊急情報取得装置（２００−１〜Ｎ）が、緊急事態が発生した際の音声情報と、映像情報と、の少なくとも１つの情報を、遠隔操作により移動体通信端末装置（１〜Ｎ）から取得することになる。
【００９３】
次に、緊急情報取得装置（２００−１〜Ｎ）は、遠隔操作を行った移動体通信端末装置（１〜Ｎ）における操作無効制御を解除するための解除操作が行われたと判断した際に、緊急情報取得装置（２００−１〜Ｎ）の具備する図１１に示す管理テーブル（２０１）を参照し、操作無効制御を解除する移動体通信端末装置（１〜Ｎ）の端末装置識別情報に関連付けられた認証情報を管理テーブル（２０１）から取得し、該取得した認証情報と、遠隔操作を行った移動体通信端末装置（１〜Ｎ）における操作無効制御を解除するための解除要求と、を移動体通信端末装置（１〜Ｎ）に送信する（ステップＤ１２）。
【００９４】
移動体通信端末装置（１〜Ｎ）は、解除要求と、認証情報と、を緊急情報取得装置（２００−１〜Ｎ）から受信した際に、その受信した認証情報を基に、移動体通信端末装置（１〜Ｎ）の具備する格納部（１−４）を参照し、緊急情報取得装置（２００−１〜Ｎ）から受信した認証情報が、移動体通信端末装置（１〜Ｎ）の具備する格納部（１−４）に格納されているか否かを判断し、緊急情報取得装置（２００−１〜Ｎ）から受信した認証情報が、格納部（１−４）に格納されていると判断した際に、移動体通信端末装置（１〜Ｎ）における操作無効制御を解除する（ステップＤ１３）。これにより、移動体通信端末装置（１〜Ｎ）は、移動体通信端末装置（１〜Ｎ）の具備する操作部（１−５）からの操作要求に応じた制御を行うことが可能となる。
【００９５】
なお、上述した図１０に示す第４の実施形態の緊急状態通知システムにおける処理動作は、図６に示す第１の実施形態の緊急状態通知システムにおける処理動作において、移動体通信端末装置（１〜Ｎ）が、緊急情報と端末装置識別情報との情報を、緊急情報受付装置（１００）に対して通知した際に、移動体通信端末装置（１〜Ｎ）が、移動体通信端末装置（１〜Ｎ）の具備する操作部（１−５）からの任意の操作要求を全て無効状態にさせることとしたが、図８に示す第２の実施形態の緊急状態通知システムにおける処理動作や、図９に示す第３の実施形態の緊急状態通知システムにおける処理動作においても、図１２や、図１３に示すように、移動体通信端末装置（１〜Ｎ）が、緊急情報と端末装置識別情報との情報を、緊急情報受付装置（１００）に対して通知した際に、移動体通信端末装置（１〜Ｎ）が、移動体通信端末装置（１〜Ｎ）の具備する操作部（１−５）からの任意の操作要求を全て無効状態にさせることは可能である。
【００９６】
なお、図１２は、図８に示す第２の実施形態の緊急状態通知システムにおける処理動作において、移動体通信端末装置（１〜Ｎ）が、緊急情報と端末装置識別情報との情報を、緊急情報受付装置（１００）に対して通知した際に、移動体通信端末装置（１〜Ｎ）が、移動体通信端末装置（１〜Ｎ）の具備する操作部（１−５）からの任意の操作要求を全て無効状態にさせるようにした処理動作（ステップＥ２）を示し、図１３は、図９に示す第３の実施形態の緊急状態通知システムにおける処理動作において、移動体通信端末装置（１〜Ｎ）が、緊急情報と端末装置識別情報との情報を、緊急情報受付装置（１００）に対して通知した際に、移動体通信端末装置（１〜Ｎ）が、移動体通信端末装置（１〜Ｎ）の具備する操作部（１−５）からの任意の操作要求を全て無効状態にさせるようにした処理動作（ステップＦ２）を示す。
【００９７】
このように、第４の実施形態における緊急状態通知システムは、緊急事態が発生した際に、移動体通信端末装置（１〜Ｎ）が、緊急情報と端末装置識別情報との情報を、緊急情報受付装置（１００）に対して通知した際に、移動体通信端末装置（１〜Ｎ）が、移動体通信端末装置（１〜Ｎ）の具備する操作部（１−５）からの任意の操作要求を全て無効状態にさせることで、緊急事態が発生した際に、移動体通信端末装置（１〜Ｎ）の利用者以外の第３者による移動体通信端末装置（１〜Ｎ）の不正使用を防止し、移動体通信端末装置（１〜Ｎ）の遠隔操作を、緊急情報取得装置（２００−１〜Ｎ）から確実に行うことが可能となる。そして、移動体通信端末装置（１〜Ｎ）は、移動体通信端末装置（１〜Ｎ）における無効状態を解除するための解除要求を、緊急情報取得装置（２００−１〜Ｎ）から受信した際に、その移動体通信端末装置（１〜Ｎ）における無効状態を解除することになる。
【００９８】
なお、上述した第４の実施形態における緊急状態通知システムは、ステップＤ１３において、移動体通信端末装置（１〜Ｎ）が、緊急情報取得装置（２００−１〜Ｎ）から解除要求を受信した際に、移動体通信端末装置（１〜Ｎ）における操作無効制御を解除することにしたが、図１４に示すように、ステップＧ１１において、移動体通信端末装置（１〜Ｎ）が、緊急情報取得装置（２００−１〜Ｎ）から情報取得要求を受信した際に、その情報取得要求に応じた情報を、移動体通信端末装置（１〜Ｎ）において取得し、該取得した情報を、緊急取得装置（２００−１〜Ｎ）に対して送信した際に、移動体通信端末装置（１〜Ｎ）における操作無効制御を自動的に解除するようにすることも可能である（ステップＧ１２）。これにより、緊急情報取得装置（２００−１〜Ｎ）において解除操作を行わずに、移動体通信端末装置（１〜Ｎ）における操作無効制御を自動的に解除することが可能となる。
【００９９】
（第５の実施形態）
次に、第５の実施形態について説明する。
第５の実施形態における緊急情報通知システムは、緊急情報取得装置（２００−１〜Ｎ）を所有することになる警備会社や、ＡＳＰ（Application Service Provider）等が所有する複数の端末装置（３００−１〜Ｎ：Ｎは、任意の整数）を管理するための端末管理テーブル（２０２）を、緊急情報取得装置（２００−１〜Ｎ）が格納管理することを特徴とするものである。これにより、緊急情報取得装置（２００−１〜Ｎ）は、緊急情報受付装置（１００）から緊急情報を取得した際に、該取得した緊急情報に含まれる位置情報を基に、端末管理テーブル（２０２）を参照し、その位置情報付近に該当する端末装置（３００−１〜Ｎ）を把握することが可能となる。そして、その位置情報付近に該当する端末装置（３００−１〜Ｎ）に対し、緊急事態が発生した旨を通知し、その端末装置（３００−１〜Ｎ）を所有する所有者が、緊急事態の発生場所に駆け付けることが可能となる。以下、図１５〜図１８を参照しながら、第５の実施形態における緊急情報通知システムについて説明する。
【０１００】
まず、図１５を参照しながら、第５の実施形態における緊急情報通知システムのシステム構成について説明する。
【０１０１】
第５の実施形態における緊急情報通知システムは、図１５に示すように、緊急情報取得装置（２００−１〜Ｎ）を所有することになる警備会社や、ＡＳＰ（Application Service Provider）等が所有する複数の端末装置（３００−１〜Ｎ）を有して構成される。なお、緊急情報取得装置（２００−１〜Ｎ）は、その複数の端末装置（３００−１〜Ｎ）を管理するための端末管理テーブル（２０２）を有して構成される。
【０１０２】
端末管理テーブル（２０２）は、図１６に示すように、端末装置（３００−１〜Ｎ）を識別するための端末装置識別情報と、その端末装置（３００−１〜Ｎ）の位置する位置情報と、を関連づけて格納管理することになる。これにより、緊急情報取得装置（２００−１〜Ｎ）は、各端末装置（３００−１〜Ｎ）がどの位置に現在存在するのかを把握することが可能となる。
【０１０３】
次に、図１７を参照しながら、第５の実施形態における緊急情報通知システムにおける一連の処理動作について説明する。
【０１０４】
まず、端末装置（３００−１〜Ｎ）は、端末装置（３００−１〜Ｎ）の現在の位置情報を取得し、該取得した位置情報と、端末装置（３００−１〜Ｎ）を識別するための端末装置識別情報と、を緊急情報取得装置（２００−１〜Ｎ）に対して送信する（ステップＨ１）。
【０１０５】
緊急情報取得装置（２００−１〜Ｎ）は、端末装置（３００−１〜Ｎ）から受信した位置情報と、端末装置識別情報と、を基に、その位置情報と、端末装置識別情報と、を関連づけて図１６に示す端末管理テーブル（２０２）を作成し、その作成した端末管理テーブル（２０２）を格納管理する（ステップＨ２）。これにより、緊急情報取得装置（２００−１〜Ｎ）は、その緊急情報取得装置（２００−１〜Ｎ）が管理する端末装置（３００−１〜Ｎ）の位置情報を管理することが可能となる。
【０１０６】
なお、緊急情報取得装置（２００−１〜Ｎ）は、端末装置（３００−１〜Ｎ）と通信処理を行い、緊急情報取得装置（２００−１〜Ｎ）の具備する端末管理テーブル（２０２）の情報を適宜更新することが好ましい。これにより、緊急情報取得装置（２００−１〜Ｎ）は、各端末装置（３００−１〜Ｎ）の最新の位置情報を管理することが可能となる。
【０１０７】
次に、ステップＨ３〜ステップＨ６により、第１の実施形態における緊急情報通知システムにおける図６に示すステップＡ１〜ステップＡ４までの処理動作と同様な処理を行い、緊急情報受付装置（１００）は、第１の管理テーブル（１０１）から取得した取得装置識別情報を基に、その取得装置識別情報の緊急情報取得装置（２００−１〜Ｎ）に対し、移動体通信端末装置（１〜Ｎ）から受信した緊急情報と、端末装置識別情報と、を送信することになる（ステップＨ５）。
【０１０８】
なお、緊急情報取得装置（２００−１〜Ｎ）は、緊急情報受付装置（１００）から緊急情報と、端末装置識別情報と、を受信した際に、その受信した端末装置識別情報を基に、緊急情報取得装置（２００−１〜Ｎ）の具備する管理テーブル（２０１）を参照し、緊急情報受付装置（１００）から受信した端末装置識別情報が、管理テーブル（２０１）に格納管理されているか否かを判断する。そして、緊急情報取得装置（２００−１〜Ｎ）は、緊急情報受付装置（１００）から受信した端末装置識別情報が、管理テーブル（２０１）に格納管理されていると判断した場合に、その端末装置識別情報に関連付けられて管理テーブル（２０１）に格納管理されている図５に示す『氏名』、『住所』、『緊急連絡先』などの情報を取得する。
【０１０９】
また、緊急情報取得装置（２００−１〜Ｎ）は、緊急情報受付装置（１００）から受信した緊急情報に含まれる位置情報を基に、緊急情報取得装置（２００−１〜Ｎ）の具備する端末管理テーブル（２０２）を参照し、緊急情報受付装置（１００）から受信した緊急情報に含まれる位置情報付近に位置する端末装置（３００−１〜Ｎ）の端末装置識別情報を取得する。
【０１１０】
次に、緊急情報取得装置（２００−１〜Ｎ）は、管理テーブル（２０１）から取得した『氏名』、『住所』、『緊急連絡先』、及び、端末管理テーブル（２０２）から取得した端末装置識別情報、緊急受付装置（１００）から受信した緊急情報、を基に、緊急事態が発生した旨を示す図１８に示す画面を作成し、緊急情報取得装置（２００−１〜Ｎ）の具備する表示部上に表示する（ステップＡ７）。これにより、緊急情報取得装置（２００−１〜Ｎ）は、管理テーブル（２０１）に格納管理されている『端末装置識別情報』の移動体通信端末装置（１〜Ｎ）の使用者の身の回りで緊急事態が発生した旨を表示部上に表示することになる。また、緊急情報取得装置（２００−１〜Ｎ）は、端末管理テーブル（２０２）を基に、緊急事態が発生したエリア周辺に位置する端末装置（３００−１〜Ｎ）を把握することが可能となる。例えば、図１５に示す移動体通信端末装置（１）において緊急事態が発生し、位置情報を含む緊急情報を緊急情報受付装置（１００）に通知した場合には、緊急情報取得装置（２００−１〜Ｎ）は、緊急情報に含まれる位置情報を基に、緊急事態が発生したエリア周辺に位置する端末装置として、端末装置（３００−１、２）を把握することになる。
【０１１１】
なお、緊急情報取得装置（２００−１〜Ｎ）は、図１８に示す画面に関する緊急情報を、端末管理テーブル（２０２）から取得した端末装置識別情報の端末装置（３００−１〜Ｎ）に対して送信することになる（ステップＨ７）。
【０１１２】
端末装置（３００−１〜Ｎ）は、緊急情報取得装置（２００−１〜Ｎ）から受信した緊急情報を基に、図１８に示す画面を、端末装置（３００−１〜Ｎ）の具備する表示部上に表示し、緊急事態が発生した旨を報知する（ステップＨ８）。これにより、緊急事態が発生した移動体通信端末装置（１〜Ｎ）の近辺に位置する端末装置（３００−１〜Ｎ）は、緊急事態が発生した旨を把握することが可能となる。
【０１１３】
次に、ステップＨ９〜ステップＨ１３により、第１の実施形態における緊急情報通知システムにおける図６に示すステップＡ６〜ステップＡ１０までの処理動作と同様な処理を行い、緊急情報取得装置（２００−１〜Ｎ）は、緊急事態が発生した際の音声情報と、映像情報と、の少なくとも１つの情報を、遠隔操作により移動体通信端末装置（１〜Ｎ）から取得することになる（ステップＨ１３）。
【０１１４】
次に、緊急情報取得装置（２００−１〜Ｎ）は、端末管理テーブル（２０２）を参照し、移動体通信端末装置（１〜Ｎ）から取得した、緊急事態が発生した際の音声情報と、映像情報と、の少なくとも１つの情報を、その緊急事態が発生した移動体通信端末装置（１〜Ｎ）の周辺エリアに位置する端末装置（３００−１〜Ｎ）に対して送信する（ステップＨ１４）。これにより、緊急事態が発生した移動体通信端末装置（１〜Ｎ）の近辺に位置する端末装置（３００−１〜Ｎ）は、緊急事態が発生した際の音声情報と、映像情報と、の少なくとも１つの情報を取得することが可能となる。
【０１１５】
このように、第５の実施形態における緊急情報通知システムは、緊急情報取得装置（２００−１〜Ｎ）が、複数の端末装置（３００−１〜Ｎ）を管理するための端末管理テーブル（２０２）を有し、緊急情報受付装置（１００）から緊急情報を取得した際に、該取得した緊急情報に含まれる位置情報を基に、端末管理テーブル（２０２）を参照し、その位置情報付近に該当する端末装置（３００−１〜Ｎ）を把握し、その位置情報付近に該当する端末装置（３００−１〜Ｎ）に対し、緊急事態が発生した旨を通知することで、緊急事態が発生した移動体通信端末装置（１〜Ｎ）の近辺に位置する端末装置（３００−１〜Ｎ）に対し、緊急事態が発生した旨を通知することが可能となる。
【０１１６】
なお、上述する実施形態は、本発明の好適な実施形態であり、上記実施形態のみに本発明の範囲を限定するものではなく、本発明の要旨を逸脱しない範囲において種々の変更を施した形態での実施が可能である。例えば、上記各実施形態における特徴を適宜組み合わせて様々な処理動作を構築することは可能である。
【０１１７】
また、上記実施形態の緊急情報受付装置（１００）の具備する第１の管理テーブル（１０１）の作成方法は、特に限定するものではなく、緊急情報受付装置（１００）が、図３に示す第１の管理テーブル（１０１）を格納管理できればあらゆる方法を適用することは可能である。例えば、緊急情報取得装置（２００−１〜Ｎ）と、移動体通信端末装置（１〜Ｎ）と、の少なくとも１つの装置が、端末装置識別情報と取得装置識別情報との情報を、緊急情報受付装置（１００）に登録することで、緊急情報受付装置（１００）が、端末装置識別情報と取得装置識別情報とを関連づけて図３に示す第１の管理テーブル（１０１）を作成し、該作成した第１の管理テーブル（１０１）を格納管理することも可能である。
【０１１８】
また、第２の管理テーブル（１０２）にて格納管理する緊急事態が発生した移動体通信端末装置（１〜Ｎ）の端末装置識別情報は、緊急情報受付装置（１００）が、緊急情報取得装置（２００−１〜Ｎ）から、遠隔操作要求と、端末装置識別情報と、取得装置識別情報と、を受信し、その受信した情報を基に、上記実施形態のように、移動体通信端末装置（１〜Ｎ）と、緊急情報取得装置（２００−１〜Ｎ）と、の間の通信を確立させてから所定時間が経過したと判断した際に、自動的にその第２の管理テーブル（１０２）から消去するようにすることも可能である。
【０１１９】
また、上記実施形態の緊急情報通知システムは、緊急情報受付装置（１００）が、移動体通信端末装置（１〜Ｎ）から、緊急情報と、端末装置識別情報と、を受信した際に、その受信した端末装置識別情報を基に、緊急情報受付装置（１００）の具備する図３に示す第１の管理テーブル（１０１）を参照し、移動体通信端末装置（１〜Ｎ）から受信した端末装置識別情報が、図３に示す第１の管理テーブル（１０１）に格納管理されていると判断した端末装置識別情報と、その端末装置識別情報に関連づけて第１の管理テーブル（１０１）に格納管理されている取得装置識別情報と、を、緊急情報受付装置（１００）の具備する第２の管理テーブル（１０２）に格納し、図４に示す第２の管理テーブル（１０２）を作成し、緊急事態が発生した移動体通信端末装置（１〜Ｎ）の端末装置識別情報を管理することとしたが、図４に示す第２の管理テーブル（１０２）を設けず、図３に示す第１の管理テーブル（１０１）に対し、緊急事態が発生した移動体通信端末装置（１〜Ｎ）の端末装置識別情報を管理するための『チェックボックス』を設け、図１９に示す第１の管理テーブル（１０１）を構成し、移動体通信端末装置（１〜Ｎ）から受信した端末装置識別情報が、図１９に示す第１の管理テーブル（１０１）に格納管理されていると判断した際に、その『端末装置識別情報』に関連付けられた『チェックボックス』の項目を例えば、‘０’から‘１’に変更し、緊急事態が発生した移動体通信端末装置（１〜Ｎ）の端末装置識別情報を管理するようにすることも可能である。なお、‘０’は、移動体通信端末装置において緊急事態が発生していない状態を示し、‘１’は、移動体通信端末装置において緊急事態が発生した状態を示す。また、図１９に示す管理テーブル（１０１）では、『チェックボックス』の項目に‘０’、‘１’の数字を用いることで、緊急事態が発生した状態か否かを判別することにしたが、移動体通信端末装置において緊急事態が発生した状態か否かを判別することが可能なテーブル構成であれば、あらゆるテーブル構成を用いて管理テーブル（１０１）を構成することは可能である。
【０１２０】
また、上記実施形態の緊急情報通知システムにおいて行った一連の処理動作は、コンピュータプログラムにより実行することも可能であり、また、上記のプログラムは、光記録媒体、磁気記録媒体、光磁気記録媒体、または半導体等の記録媒体に記録し、その記録媒体からプログラムを情報処理装置に読み込ませることで、上述した処理動作を情報処理装置において実行させることも可能である。また、所定のネットワークを介して接続されている外部機器からプログラムを情報処理装置に読み込ませることで、上述した処理動作を情報処理装置において実行させることも可能である。
【産業上の利用可能性】
【０１２１】
本発明にかかる緊急情報受付装置、緊急情報通知システム及び緊急情報通知方法は、緊急事態が発生した旨を示す緊急情報を通知するためのサービスに適用可能である。
【図面の簡単な説明】
【０１２２】
【図１】本実施形態における緊急情報通知システムのシステム構成を示す図である。
【図２】本実施形態における緊急情報通知システムを構成する移動体通信端末装置（１〜Ｎ）の構成を示す図である。
【図３】本実施形態における緊急情報通知システムを構成する緊急情報受付装置（１００）の具備する第１の管理テーブル（１０１）の構成を示す図である。
【図４】本実施形態における緊急情報通知システムを構成する緊急情報受付装置（１００）の具備する第２の管理テーブル（１０２）の構成を示す図である。
【図５】本実施形態における緊急情報通知システムを構成する緊急情報取得装置（２００−１〜Ｎ）の具備する管理テーブル（２０１）の構成を示す図である。
【図６】第１の実施形態における緊急情報通知システムにおける処理動作を示す図である。
【図７】本実施形態における緊急情報通知システムを構成する緊急情報取得装置（２００−１〜Ｎ）の具備する表示部上に、緊急事態が発生した旨が表示された状態を示す図である。
【図８】第２の実施形態における緊急情報通知システムにおける処理動作を示す図である。
【図９】第３の実施形態における緊急情報通知システムにおける処理動作を示す図である。
【図１０】第４の実施形態における緊急情報通知システムにおける処理動作を示す第１の図である。
【図１１】第４の実施形態の緊急情報通知システムを構成する緊急情報取得装置（２００−１〜Ｎ）の具備する管理テーブル（２０１）の構成を示す図である。
【図１２】第４の実施形態における緊急情報通知システムにおける処理動作を示す第２の図である。
【図１３】第４の実施形態における緊急情報通知システムにおける処理動作を示す第３の図である。
【図１４】第４の実施形態における緊急情報通知システムにおける処理動作を示す第４の図である。
【図１５】第５の実施形態における緊急情報通知システムのシステム構成を示す図である。
【図１６】第５の実施形態における緊急情報通知システムを構成する緊急情報取得装置（２００−１〜Ｎ）の具備する端末管理テーブル（２０２）の構成を示す図である。
【図１７】第５の実施形態における緊急情報通知システムにおける処理動作を示す図である。
【図１８】第５の実施形態における緊急情報通知システムを構成する緊急情報取得装置（２００−１〜Ｎ）の具備する表示部上に、緊急事態が発生した旨が表示された状態を示す図である。
【図１９】本実施形態の緊急情報通知システムを構成する緊急情報受付装置（１００）の具備する第１の管理テーブル（１０１）の構成を示す第２の図である。
【符号の説明】
【０１２３】
１〜Ｎ    移動体通信端末装置
１００    緊急情報受付装置
１００−１〜Ｎ    基地局
１０１    第１の管理テーブル
１０２    第２の管理テーブル
２００−１〜Ｎ
２０１    管理テーブル
２０２    端末管理テーブル
３００    ネットワーク
【図１】
0004784267.tif 000002
【図２】
0004784267.tif 000003
【図３】
0004784267.tif 000004
【図４】
0004784267.tif 000005
【図５】
0004784267.tif 000006
【図６】
0004784267.tif 000007
【図７】
0004784267.tif 000008
【図８】
0004784267.tif 000009
【図９】
0004784267.tif 000010
【図１０】
0004784267.tif 000011
【図１１】
0004784267.tif 000012
【図１２】
0004784267.tif 000013
【図１３】
0004784267.tif 000014
【図１４】
0004784267.tif 000015
【図１５】
0004784267.tif 000016
【図１６】
0004784267.tif 000017
【図１７】
0004784267.tif 000018
【図１８】
0004784267.tif 000019
【図１９】
0004784267.tif 000020